(57)【要約】移動体通信装置を伴う、切断された緊急呼および切断された他の通信の処理、ならびにそのような移動体通信装置の遠隔のモニターの処理に用いられる方法および装置が開示される。例示的な一例において、パブリックセーフティー応答ポイントエンティティを用いる緊急呼は、ワイヤレス通信ネットワークを介して、移動体通信装置によって確立される。緊急呼が切断される場合、移動体装置は、パブリックセーフティー応答ポイントエンティティからの、継続される緊急呼のための着信呼メッセージを受信するようにモニターする。そのような着信呼メッセージを受信することに応答して、移動体装置は、可聴のアラートを生成することを控え、そのユーザインタフェースを介していかなるマニュアル応答も検出することなく、パブリックセーフティー応答ポイントエンティティからの継続される緊急呼に自動的に応答する。
2010530664.tif 000002
【特許請求の範囲】
【請求項１】
移動体通信装置によって用いられ、ワイヤレス通信ネットワークを介して着信呼を処理する方法であって、
該方法は、
該ワイヤレス通信ネットワークを介して、呼出しエンティティからの着信呼のための着信呼メッセージを受信することをモニターするアクトと、
該着信呼メッセージの１つ以上のデータフィールドにおけるデータ表示を受信するアクトと、
該呼出しエンティティからの該着信呼に対応する該着信呼メッセージが無音自動応答のためのものであることを該データ表示が示す場合には、
該着信呼をアラートするために該移動体通信装置において可聴のアラートを生成することを控えることと、
該移動体通信装置のユーザインタフェースを介してマニュアル応答信号を検出することなく、該着信呼が該移動体通信装置によって自動的に応答されるようにすることと
を行うアクトと、
該呼出しエンティティからの該着信呼に対応する該着信呼メッセージが無音自動応答のためのものであることを該データ表示が示さない場合には、
該マニュアル応答信号を検出することなく、該着信呼が該移動体通信装置によって自動的に応答されるようにすることを控えることと、
該ユーザインタフェースを介して該マニュアル応答信号を検出したことに応答して、該着信呼が応答されるようにすることと
を行うアクトと
を含む、方法。
【請求項２】
前記着信呼メッセージが無音自動応答のためのものであることを前記データ表示が示す場合には、該着信呼が緊急呼を含み、前記呼出しエンティティがパブリックセーフティー応答ポイントエンティティを含む、請求項１に記載の方法。
【請求項３】
前記ユーザインタフェースが、複数のキーと、スピーカーと、マイクロホンとを含み、前記着信呼が前記移動体通信装置によって自動的に応答されるようにする前記アクトは、該移動体通信装置において該マイクロホンが可聴の信号を受信することを可能にする更なるアクトを含む、請求項１に記載の方法。
【請求項４】
前記移動体通信装置が、該移動体通信装置への着信呼のための、マニュアル応答モードおよび自動応答モードのうちの１つを設定するための１つ以上のデータフィールドにおけるプログラム可能なデータ表示を含むメモリを含み、該マニュアル応答モードが有効にされたことを該プログラム可能なデータ表示が示す場合には、前記マニュアル応答信号を検出することなく、該着信呼が該移動体通信装置によって自動的に応答されるようにする前記アクトが行われる、請求項１に記載の方法。
【請求項５】
前記移動体通信装置が、該移動体通信装置への着信呼のための、可聴のアラート応答モードおよび無音の応答モードのうちの１つを設定するための１つ以上のデータフィールドにおけるプログラム可能なデータ表示を含むメモリを含み、該可聴のアラート応答モードが有効にされたことを該プログラム可能なデータ表示が示す場合には、該移動体通信装置における該着信呼をアラートするための可聴のアラートを生成することを控える前記アクトが行われる、請求項１に記載の方法。
【請求項６】
前記着信呼が無音かつ自動的に応答された後、前記移動体通信装置のロケーション情報が、受信エンティティへ送信されるようにすることをさらに含む、請求項１に記載の方法。
【請求項７】
メッセージを要求するメッセージを前記ユーザインタフェースを介して受信することと、
該メッセージがワイヤレス通信ネットワークを介して送信されるようにすることと、
該メッセージの送信からの期間を定義するタイマーを起動することと、
前記着信呼メッセージの１つ以上のデータフィールドにおけるデータ表示を受信することと、
該期間内に該着信呼メッセージが受信され、かつ、該着信呼メッセージが前記無音自動応答のためのものであることを該データ表示が示す場合には、前記マニュアル応答信号を検出することなく、該着信呼が該移動体通信装置によって自動的に応答されるようにすることと、
該期間外で該着信呼メッセージが受信される場合、または、該着信呼メッセージが該無音自動応答のためのものであることを該データ表示が示さない場合、該マニュアル応答信号を検出することなく、該呼に自動的に応答することを控えることと
をさらに含む、請求項１に記載の方法。
【請求項８】
メッセージ要求を前記ユーザインタフェースを介して受信することと、
該メッセージ要求が非緊急メッセージのためのものである場合には、該非緊急メッセージがワイヤレス通信ネットワークを介して送信されるようにすることと、
該メッセージ要求が緊急メッセージのためのものである場合には、
該緊急メッセージの送信からの期間を定義するタイマーを起動することと、
前記着信呼メッセージの１つ以上のデータフィールドにおける前記データ表示を受信することと、
該期間内に該着信呼メッセージが受信され、かつ、該着信呼メッセージが無音自動応答のためのものであることを該データ表示が示す場合には、前記マニュアル応答信号を検出することなく、該着信呼が該移動体通信装置によって自動的に応答されるようにすることと、
該期間外で該着信呼メッセージが受信される場合、または、該着信呼メッセージが無音自動応答のためのものであることを該データ表示が示さない場合には、該マニュアル応答信号を検出することなく、該呼に自動的に応答することを控えることと
をさらに含む、請求項１に記載の方法。
【請求項９】
前記移動体通信装置が、送受話器通話モードおよびスピーカーホン通話モードを有し、前記方法は、
該着信呼メッセージが無音自動応答のためのものであることを該データ表示が示す場合には、前記ユーザインタフェースを介してマニュアルスピーカーホン起動信号を検出することなく、該移動体通信装置のスピーカーホン通話モードを有効にすること
を行う更なるアクトを含む、請求項１に記載の方法。
【請求項１０】
コンピュータ読み取り可能な媒体と、該コンピュータ読み取り可能な媒体の中に格納されるコンピュータの命令とを含むコンピュータプログラム製品として具体化される請求項１に記載の方法であって、該コンピュータの命令は、該方法を実行するために、前記移動体通信装置の１つ以上のプロセッサによって実行可能である、請求項１に記載の方法。
【請求項１１】
移動体通信装置であって、
該移動体通信装置は、
ワイヤレス通信ネットワークを介した通信に適合されたワイヤレストランシーバーと、
該ワイヤレストランシーバーに結合された１つ以上のプロセッサと、
該１つ以上のプロセッサに結合されたユーザインタフェースと
を含み、該１つ以上のプロセッサは、
該ワイヤレストランシーバーを介して、呼出しエンティティからの着信呼メッセージまたは着信呼を受信することをモニターすることと、
該着信呼メッセージの１つ以上のデータフィールドにおけるデータ表示を受信することと、
該呼出しエンティティからの該着信呼に対応する該着信呼メッセージが無音自動応答のためのものであることを該データ表示が示す場合には、
該着信呼をアラートするために該ユーザインタフェースにおいて可聴のアラートを生成することを控えることと、
該ユーザインタフェースを介してマニュアル応答信号を検出することなく、該着信呼が自動的に応答されるようにすることと、
該呼出しエンティティからの該着信呼に対応する該着信呼メッセージが無音自動応答のためのものであることを該データ表示が示さない場合には、
該ユーザインタフェースを介して該マニュアル応答信号を検出することなく、該着信呼が自動的に応答されるようにすることを控えることと、
該ユーザインタフェースを介して該マニュアル応答信号を検出したことに応答して、該着信呼が応答されるようにすることと
を行うように動作する、移動体通信装置。
【請求項１２】
前記着信呼メッセージが無音自動応答のためのものであることを前記データ表示が示す場合には、該着信呼が緊急呼であり、前記呼出しエンティティがパブリックセーフティー応答ポイントエンティティである、請求項１１に記載の移動体通信装置。
【請求項１３】
複数のキーと、スピーカーと、マイクロホンとを有する前記ユーザインタフェースと、
該移動体通信装置において該マイクロホンが可聴の信号を受信することを可能にすることによって、前記着信呼が自動的に応答されるようにするようにさらに動作する前記１つ以上のプロセッサと
をさらに含む、請求項１１に記載の移動体通信装置。
【請求項１４】
メモリをさらに含み、
該メモリは、前記移動体通信装置への着信呼のための、マニュアル応答モードおよび自動応答モードのうちの１つを設定するための１つ以上のデータフィールド上のプログラム可能なデータ表示を含み、
該マニュアル応答モードが有効にされたことを該プログラム可能なデータ表示が示す場合には、前記１つ以上のプロセッサは、前記ユーザインタフェースを介して前記マニュアル応答信号を検出することなく、該着信呼が自動的に応答されるようにするようにさらに動作する、
請求項１１に記載の移動体通信装置。
【請求項１５】
メモリをさらに含み、
該メモリは、前記移動体通信装置への着信呼のための、可聴のアラート応答モードおよび無音の応答モードのうちの１つを設定するための１つ以上のデータフィールドにおけるプログラム可能なデータ表示を含み、
前記１つ以上のプロセッサは、該可聴のアラート応答モードが有効にされたことを該プログラム可能なデータ表示が示す場合、該着信呼をアラートするための可聴のアラートを生成することを控えるようにさらに動作する、
請求項１１に記載の移動体通信装置。
【請求項１６】
前記着信呼が無音かつ自動的に応答された後、前記移動体通信装置のロケーション情報が受信エンティティへ送信されるようにするようにさらに動作する前記１つ以上のプロセッサをさらに含む、請求項１１に記載の移動体通信装置。
【請求項１７】
メッセージを要求するメッセージを前記ユーザインタフェースを介して受信することと、
該メッセージがワイヤレストランシーバーを介して送信されるようにすることと、
該メッセージの送信からの期間を定義するタイマーを起動することと、
前記着信呼メッセージの１つ以上のデータフィールドにおけるデータ表示を受信することと、
該期間内に該着信呼メッセージが受信され、かつ、該着信呼メッセージが前記無音自動応答のためのものであることを該データ表示が示す場合には、前記マニュアル応答信号を検出することなく、該着信呼が自動的に応答されるようにすることと、
該期間外で該着信呼メッセージが受信される場合、または、該着信呼メッセージが該無音自動応答のためのものであることを該データ表示が示さない場合には、該マニュアル応答信号を検出することなく、該呼に自動的に応答することを控えることと
を行うようにさらに動作する前記１つ以上のプロセッサをさらに含む、請求項１１に記載の移動体通信装置。
【請求項１８】
メッセージを要求するメッセージを前記ユーザインタフェースを介して受信することと、
該メッセージ要求が非緊急メッセージのためのものである場合には、該非緊急メッセージがワイヤレストランシーバーを介して送信されるようにすることと、
該メッセージ要求が緊急メッセージのためのものである場合には、
該緊急メッセージの送信からの期間を定義するタイマーを起動することと、
前記着信呼メッセージの１つ以上のデータフィールドにおける前記データ表示を受信することと、
該期間内に該着信呼メッセージが受信され、かつ、該着信呼メッセージが前記無音自動応答のためのものであることを該データ表示が示す場合には、前記マニュアル応答信号を検出することなく、該着信呼が自動的に応答されるようにすることと、
該期間外で該着信呼メッセージが受信される場合、または、該着信呼メッセージが該無音自動応答のためのものであることを該データ表示が示さない場合には、該マニュアル応答信号を検出することなく、該呼に自動的に応答することを控えることと
を行うようにさらに動作する前記１つ以上のプロセッサをさらに含む、請求項１１に記載の移動体通信装置。
【請求項１９】
前記移動体通信装置を送受話器通話モードおよびスピーカーホン通話モードにおいて動作させるようにさらに動作する前記１つ以上のプロセッサと、
該着信呼メッセージが無音自動応答のためのものであることを該データ表示が示す場合には、前記ユーザインタフェースを介してマニュアルスピーカーホン起動信号を検出することなく、該スピーカーホン通話モードを有効にするようにさらに動作する前記１つ以上のプロセッサと
をさらに含む、請求項１１に記載の移動体通信装置。
【請求項２０】
ワイヤレス通信ネットワークと、
該ワイヤレス通信ネットワークの中で動作する複数の移動体通信装置と
を含むワイヤレス通信システムであって、
各移動体通信装置は、請求項１１〜１９のうちのいずれか一項に記載の移動体通信装置に応じて動作するように構成されている、ワイヤレス通信システム。
【発明の詳細な説明】
【技術分野】
【０００１】
本発明の開示は、一般に、ワイヤレス通信ネットワークにおいて動作する移動体通信装置を含む、切断された緊急呼および切断された他の通信の処理、ならびにそのような移動体通信装置の遠隔のモニターの処理に関する。
【背景技術】
【０００２】
移動体通信装置について、技術は、連邦通信委員会（ＦＣＣ）の要求によって、ワイヤレスサービスプロバイダーにより開発されており、緊急呼を伴う移動体装置の的確な位置を捜し出すために、連邦通信委員会は、Ｅｎｈａｎｃｅｄ  ９１１（Ｅ−９１１）におけるロケーション発見能力を高度化することを求められる。
【０００３】
ＦＣＣは、フェーズ単位でＥ−９１１を公開する。フェーズ０は、基本的な９１１の処理であり、そこで、ワイヤレス緊急呼は、適切なパブリックセーフティー応答ポイント（ｐｕｂｌｉｃ  ｓａｆｅｔｙ  ａｎｓｗｅｒｉｎｇ  ｐｏｉｎｔ）（ＰＳＡＰ）へ送信される。ワイヤレスサービスプロバイダーは、たとえ発呼者がそれらのサービスへの加入者でない場合でも、呼をＰＳＡＰへ指向させなければならない。フェーズ１において、ＦＣＣは、移動体装置の電話番号がそれぞれのワイヤレス緊急呼を用いて表示されることを必要とし、切断がある場合に、ＰＳＡＰオペレータがコールバックすることを可能にする。フェーズ２（最後のフェーズ）において、ＦＣＣは、ワイヤレス緊急呼の間、比較的限定された緯度および経度の情報を配信するために、移動体装置がＧＰＳの機能性を有することを必要とする。ロケーション情報は、５０〜３００メートル以内で正確であるべきである。
【０００４】
必要とされていることは、移動体通信装置についての切断された緊急呼および切断された他の通信の処理、ならびにそのような装置の遠隔のモニターの処理のための方法および装置であり、それにより、ワイヤレス通信ネットワークにおけるこれらおよび他の高度化を促進する。
【発明の概要】
【課題を解決するための手段】
【０００５】
移動体通信装置についての切断された緊急呼および切断された他の通信の処理、ならびにそのような移動体通信装置の遠隔のモニターの処理に用いられる方法および装置が、本明細書に述べられる。例示的な一実施形態において、パブリックセーフティー応答ポイントエンティティを用いる緊急呼は、ワイヤレス通信ネットワークを介して、移動体通信装置によって確立される。緊急呼が切断される場合、移動体装置は、パブリックセーフティー応答ポイントエンティティからの、継続される緊急呼のための着信呼メッセージを受信するようにモニターする。そのような着信呼メッセージを受信することに応答して、移動体装置は、可聴のアラートを生成することを控え、そのユーザインタフェースを介していかなるマニュアル応答も検出することなく、パブリックセーフティー応答ポイントエンティティからの継続される緊急呼に自動的に応答する。一つの特定のアプローチにおいて、着信呼メッセージが切断後の期間内に受信される場合、かつ、着信呼メッセージのデータ表示が、メッセージが継続される緊急呼または自動応答のためのものであることを表示する場合、移動体装置は、自動的にその呼に応答する。そうでなければ、着信呼メッセージが、切断後の期間外で受信される場合か、または、データ表示が、着信呼メッセージが継続される緊急呼もしくは自動応答のためのものであることを表示しない場合、移動体装置は、着信呼メッセージと関連した呼に自動的に応答することを控える。
【図面の簡単な説明】
【０００６】
【図１】図１は、通信システムのブロック図であり、通信システムは、ワイヤレス通信ネットワークを介した通信のための移動体通信装置を含む。
【図２】図２は、図１のワイヤレスネットワークに用いられる移動体通信装置のより詳述された例である。
【図３】図３は、緊急呼および他の通信を処理するための、図１〜２に関して述べられる移動体通信装置のような移動体通信装置によって用いられる方法のフローチャートである。
【図４】図１〜２に関して述べられる移動体通信装置のような移動体通信装置のための緊急通信を処理することにおいて、図１のワイヤレス通信ネットワークのようなワイヤレス通信ネットワークにおいて用いられる方法のフローチャートである。
【図５】図５は、着信呼メッセージの例示的な記述であり、着信呼メッセージは、１つ以上のデータフィールドの中にデータ表示を有し得、それにより、着信呼メッセージが移動体通信装置によって継続される緊急呼（すなわち、移動体通信装置による自動的な応答）のためのものであるかどうかを示す。
【図６】図６は、移動体通信装置のメモリの例示的な記述であり、移動体通信装置のメモリは、その中に格納されるプログラム可能なデータ表示であって、移動体装置への着信呼のための可聴のアラート応答モードか、もしくは無音応答モードかのどちらかを設定し、かつ／または、移動体装置への着信呼のためのマニュアル応答モードか、もしくは自動応答モードかのどちらかを設定するためのデータ表示を有し得る。
【図７】図７は、移動体通信装置の機能のブロック図であり、そのブロック図は、移動体通信装置の送受話器通話モードおよびスピーカーホン通話モードに関連した機能性を説明し、それらのモードは、着信呼メッセージの１つ以上のデータフィールドにおけるデータ表示に基づいて制御され得る。
【図８ａ】図８ａおよび図８ｂは、１つのタイプの移動体通信装置の側面図であり、開いた位置（図８ａ）および閉じた位置（図８ｂ）を有し、それらの位置は、本開示の技術において利用され得る。
【図８ｂ】図８ａおよび図８ｂは、１つのタイプの移動体通信装置の側面図であり、開いた位置（図８ａ）および閉じた位置（図８ｂ）を有し、それらの位置は、本開示の技術において利用され得る。
【図９】図９は、即時接続の特徴を説明するための呼のフロー図であり、即時接続の特徴は、ＧＳＭ／ＧＰＲＳネットワークのために、本発明の開示の緊急呼処理において利用され得る。
【発明を実施するための形態】
【０００７】
移動体通信装置を伴う、切断された緊急呼および切断された他の通信の処理、ならびにそのような移動体通信装置の遠隔のモニターの処理に用いられる方法および装置が、本明細書に述べられる。１つの例示的な例において、パブリックセーフティー応答ポイントエンティティを用いる緊急呼は、ワイヤレス通信ネットワークを介して、移動体通信装置によって確立される。緊急呼が切断される場合、移動体装置は、パブリックセーフティー応答ポイントエンティティからの継続される緊急呼のための着信呼メッセージを受信するようにモニターする。そのような着信呼メッセージを受信することに応じて、移動体装置は、可聴のアラートを生成することを控え、そのユーザインタフェースを介していかなるマニュアル応答も検出することなく、パブリックセーフティー応答ポイントエンティティからの継続される緊急呼に自動的に応答する。一つの特定のアプローチにおいて、着信呼メッセージが切断後の期間内に受信される場合、かつ、着信呼メッセージのデータ表示が、メッセージが継続される緊急呼または自動応答のためのものであることを表示する場合、移動体装置は、自動的にその呼に応答する。そうでなければ、着信呼メッセージが、切断後の期間外で受信される場合か、または、データ表示が、着信呼メッセージが継続される緊急呼もしくは自動応答のためのものであることを表示しない場合、移動体装置は、着信呼メッセージと関連した呼に自動的に応答することを控える。
【０００８】
利用され得る基本的なネットワークアーキテクチャを説明するために、図１は、通信システム１００のブロック図を示し、通信システム１００は、移動局（ＭＳ）１０２（移動体通信装置の一例）を含み、移動局１０２は、ワイヤレス通信ネットワーク１０４を介して通信する。移動局１０２は、好ましくは、ビジュアルなディスプレイ１１２と、キーボード１１４と、場合によれば１つ以上の補助のユーザインタフェース（ＵＩ）１１６を含み、それらのそれぞれは、制御装置１０６に結合される。制御装置１０６はまた、無線周波数（ＲＦ）発生器トランシーバー回路網１０８およびアンテナ１１０に結合される。典型的に、制御装置１０６は、中央処理ユニット（ＣＰＵ）として具体化され、中央処理ユニットは、メモリコンポーネント（示されていない）の中のオペレーティングシステムソフトウェアを動かす。制御装置１０６は、標準的に、移動局１０２の全体的な動作を制御するが、通信機能と関連した信号処理動作は、典型的に、ＲＦトランシーバー回路網１０８で行われる。制御装置１０６は、装置表示１１２とインタフェースで接続し、それにより、受信された情報、格納された情報、ユーザ入力などを表示する。キーボード１１４は、電話タイプのキーパッドまたは英数字のフルキーボードであり得、標準的に、移動局１０２におけるストレージに対するデータと、ワイヤレスネットワーク１０４への伝送のための情報と、電話をするための電話番号と、移動局１０２で実行されるコマンドと、おそらく他のユーザ入力または異なるユーザ入力とを入力するために提供される。
【０００９】
移動局１０２は、アンテナ１１０を介して、通信信号をワイヤレスリンク上のワイヤレスネットワーク１０４へ送信し、ワイヤレスリンク上のワイヤレスネットワーク１０４から通信信号を受信する。ＲＦトランシーバー回路網１０８は、ワイヤレスネットワーク１０４の基地局制御装置１２８（後述される）の機能と類似した、例えば変調／復調と、おそらくエンコーディング／デコーディングと、暗号化／復号化とを含む機能を行う。ＲＦトランシーバー回路網１０８が、特定のワイヤレスネットワークか、または移動局１０２が動作することを意図されるネットワークに適合されることは、当業者にとって明らかである。移動局１０２が十分に動作可能である場合、ＲＦトランシーバー回路網１０８のＲＦトランスミッターは、典型的に、ネットワークに送信する場合にのみ電源を入れられ、ネットワークに送信しない場合、リソースを保存するために電源を切られる。同様に、ＲＦトランシーバー回路網１０８のＲＦレシーバーは、典型的に、信号または情報を受信することが必要とされるまで（信号または情報を受信することが全く必要とされない場合）、指定された期間の間、電源を保存するために周期的に電源を切られる。
【００１０】
移動局１０２は、１つ以上の充電可能なバッテリー１２４を受容するためのバッテリーインタフェース１２２を含む。バッテリー１２４は、電気出力を移動局１０２の中の電気回路網に提供し、バッテリーインタフェース１２２は、バッテリー１２４に対する機械接続および電気接続を備える。バッテリーインタフェース１２２は、調整器１２６に結合され、調整器１２６は、装置への電力を調整する。移動局１０２はまた、Ｓｕｂｓｃｒｉｂｅｒ  Ｉｄｅｎｔｉｔｙ  Ｍｏｄｕｌｅ（ＳＩＭ）またはＲｅｍｏｖａｂｌｅ  Ｕｓｅｒ  Ｉｄｅｎｔｉｔｙ  Ｍｏｄｕｌｅ（Ｒ−ＵＩＭ）のようなメモリモジュール１２０を用いて動作し、メモリモジュール１２０は、インタフェース１１８で、移動局１０２と接続され、移動局１０２に挿入される。本発明の実施形態において、メモリモジュール１２０は、ＳＩＭである。ＳＩＭ１２０は、移動局１０２のエンドユーザ（または加入者）を識別するのに用いられ、その装置を数ある中で個人のものにするのに用いられる。ＳＩＭ１２０がなければ、移動局端末は、ワイヤレス１０４を介した通信に対して、完全に動作可能ではない。ＳＩＭ１２０を移動局１０２に挿入することによって、エンドユーザは、彼の／彼女の加入したサービスのいずれかおよび全てにアクセスし得る。ＳＩＭ１２０は、一般に、プロセッサおよび情報を格納するためのメモリを含む。ＳＩＭ１２０は、ＳＩＭインタフェース１１８に結合されているので、それは、通信ライン１４４を介して制御装置１０６に結合される。加入者を識別するために、ＳＩＭ１２０は、Ｉｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ）のような一部のユーザパラメータを包含する。ＳＩＭ１２０を用いる利点は、エンドユーザが必ずしも任意の単一の物理的な移動局に拘束されないことである。移動局に対する、予定帳（またはカレンダー）情報および最近の呼情報を含む、さらなるユーザ情報をも、ＳＩＭ１２０は格納し得る。ＳＩＭまたはＲ−ＵＩＭに代わるものとして、移動局１０２は、移動局１０２の不揮発性メモリにサービスプロバイダーによってプログラムされた構成データに基づいて動作し得る。
【００１１】
移動局１０２は、データ通信装置か、セルラー方式の電話機か、データおよび音声の通信性能を有する複数機能の通信装置か、ワイヤレス通信に対して使用可能な携帯情報端末（ＰＤＡ）か、または内部モデムを内蔵するコンピュータのような単一のユニットから成り得る。好ましくは、移動局１０２は、筐体（例えば、小型のプラスチックの筐体）を有する小型のポータブルの手持ち式の電話機のユニットであり、そのユニットは、本明細書に述べられる電気回路網およびコンポーネントを含有するか、または備える。あるいは、移動局１０２は、複数の別個のコンポーネントを含む複数モジュールユニットであり得、ワイヤレスのモデムに接続されるコンピュータまたは他の装置を含むが、これらを含むことには、決して限定されない。特に、例えば、図１の移動局のブロック図において、ＲＦトランシーバー回路網１０８およびアンテナ１１０は、無線モデムユニットとしてインプリメントされ、無線モデムユニットは、ラップトップコンピュータ上のポートに挿入され得る。この場合において、ラップトップコンピュータは、ディスプレイ１１２、キーボード１１４および１つ以上の補助のＵＩ１１６を含み得る。制御装置１０６は、モデムユニット内で、コンピュータのＣＰＵとして具体化されるか、または別個のＣＰＵとして具体かされるかのいずれかである。ワイヤレス通信をする能力が標準的にないコンピュータまたは他の機器が、上記に述べられるそれらのうちの一つのような単一ユニットの装置のＲＦトランシーバー回路網１０８およびアンテナ１１０に接続し、かつ、効率的に制御するように適合し得ることがまた、企図される。移動局１０２が、図２の移動局２０２と関連して、後述される通り比較的多くの特定のインプリメンテーションを有し得ることは、留意されたい。
【００１２】
移動局１０２は、ワイヤレスネットワーク１０４において、かつ、ワイヤレスネットワーク１０４を介して通信し、ワイヤレスネットワーク１０４は、例えば、セルラー方式の電気通信ネットワークであり得る。図１の実施形態において、ワイヤレスネットワーク１０４は、汎用パケット無線サービス（ＧＰＲＳ）技術および世界移動電話規格（ＧＳＭ）技術に従って構成される。ワイヤレスネットワーク１０４は、ＧＳＭ／ＧＰＲＳ技術に従って構成される場合、ネットワークおよび端末は、さらに、ＧＳＭ進化型高速データ伝送（ＥＤＧＥ）またはＥｎｈａｎｃｅｄ  ＧＰＲＳ（ＥＧＰＲＳ）に従って動作し得る。しかし、ネットワークアーキテクチャおよび通信プロトコルの任意の適したタイプが利用可能であり得る。例えば、ワイヤレスネットワーク１０４は、符号分割多重アクセス（ＣＤＭＡ）技術に従って構成され得る。別の例として、ネットワークは、Ｉｎｔｅｇｒａｔｅｄ  Ｄｉｓｐａｔｃｈ  Ｅｎｈａｎｃｅｄ  Ｎｅｔｗｏｒｋ（ｉＤＥＮ）に基づき得、ｉＤＥＮは、統合された音声およびデータのサービスを提供する大容量のデジタルのトランクされた（ｔｒｕｎｋｅｄ）無線システムである。
【００１３】
このＧＳＭ／ＧＰＲＳ環境において、ワイヤレスネットワーク１０４は、複数の関連したタワー局（タワー局のうちの１つは図１に示される）を有する基地局制御装置（ＢＳＣ）１２８、移動交換センター（ＭＳＣ）１３０、信号システム７（ＳＳ７）ネットワーク１４０、ホーム・ロケーション・レジスタ（ＨＬＲ）１３８、ＩＰネットワーク１３４、Ｒｅｍｏｔｅ  Ａｕｔｈｅｎｔｉｃａｔｉｏｎ  Ｄｉａｌ−ｉｎ  Ｕｓｅｒ  Ｓｅｒｖｉｃｅ（ＲＡＤＩＵＳ）サーバー１３６、Ｓｅｒｖｉｎｇ  Ｇｅｎｅｒａｌ  Ｐａｃｋｅｔ  Ｒａｄｉｏ  Ｓｅｒｖｉｃｅ（ＧＰＲＳ）Ｓｕｐｐｏｒｔ  Ｎｏｄｅ（ＳＧＳＮ）１３１、およびＧａｔｅｗａｙ  ＧＰＲＳ  Ｓｕｐｐｏｒｔ  Ｎｏｄｅ（ＧＧＳＮ）１３２を含む。ＭＳＣ１３０は、公衆交換電話網（ＰＳＴＮ）のようなＢＳＣ１２８および陸線ネットワーク１４２に結合される。ＳＧＳＮ１３１は、ＢＳＣ１２８およびＧＧＳＮ１３２に結合され、ＢＳＣ１２８およびＧＧＳＮ１３２は、次々に、公共のまたはプライベートのデータネットワーク１４４（インターネットのような）に結合される。ＨＬＲ１３８は、ＭＳＣ１３０、ＳＧＳＮ１３１およびＧＧＳＮ１３２に結合される。ＳＳ７ネットワーク１４０は、通信のために陸線ネットワーク１４２に結合され、陸線ネットワーク１４２は、移動局１０２を呼の相手１５０（例えば、陸線電話機または他の移動局）か、または緊急呼センター１５２のような他の呼の相手と接続し得る。他方、ＩＰネットワーク１３４は、通信のためにインターネット１４４に結合される。ＲＡＤＩＵＳサーバー１３６は、パケットデータサービスの認証、許可およびアカウンティング（ＡＡＡ）に関連した機能を実行することを担当し、ＡＡＡサーバーと呼ばれ得る。
【００１４】
ＢＳＣ１２８およびそのタワー局は、（固定された）トランシーバー機器と呼ばれ得る。トランシーバー機器は、一般に「セル」と呼ばれる特定の到達範囲エリアに、ワイヤレスネットワークの到達範囲を提供する。トランシーバー機器は、タワー局を介してそのセル内の移動局に通信信号を送信し、タワー局を介してそのセル内の移動局から通信信号を受信する。トランシーバー機器は、その制御装置の制御の下で、変調としての機能のような機能と、通常予め決定される特定の通信プロトコルおよびパラメータに従って移動局へ送信される信号のおそらくエンコーディングおよび／または暗号化とを標準的に行う。トランシーバー機器は、同様に、復調し、必要な場合に、そのセル内で移動局１０２から受信した任意の通信信号をおそらくはデコードおよび復号する。通信プロトコルおよびパラメータは、異なるネットワークの間で異なり得る。例えば、一ネットワークは、他のネットワークに比べて異なる周波数で、異なる変調方式および変調動作を採用し得る。
【００１５】
図１の通信システム１００の中に示されるワイヤレスリンクは、ワイヤレスネットワーク１０４と移動局１０２との間で用いられる、１つ以上の異なるチャネル（典型的に、異なる無線周波数（ＲＦ）チャネル）および関連したプロトコルを表す。ＲＦチャネルは、典型的に、移動局１０２の、全体の帯域における制限と、制限されたバッテリー電力とのために、保存されるべき制限されたリソースである。実際の実施におけるワイヤレスネットワークが、多数のセル（タワー局（すなわち、局区域）によってそれぞれ供給される）を含み得、ネットワーク到達範囲の所望の全ての広がりに依存することを、当業者は正しく認識する。全ての該当するコンポーネントは、複数のスイッチおよびルーター（示されていない）によって接続され、複数のネットワーク制御装置によって制御され得る。
【００１６】
ネットワークのオペレータに登録される全ての移動局１０２に対して、不変のデータ（移動局１０２のユーザのプロフィールのような）および一時的なデータ（移動局１０２の現在のロケーションのような）が、ＨＬＲ１３８に格納される。移動局１０２への音声呼の場合において、ＨＬＲ１３８は、移動局１０２の現在のロケーションを決定するために照会される。ＭＳＣ１３０のＶｉｓｉｔｏｒ  Ｌｏｃａｔｉｏｎ  Ｒｅｇｉｓｔｅｒ（ＶＬＲ）は、ロケーションエリアのグループを担当し、それらの移動局のデータを格納し、それらの移動局は、現在、担当のそのエリアの中に存在する。これは、比較的敏速なアクセスのためにＨＬＲ１３８からＶＬＲに送信された、不変の移動局のデータの一部を含む。しかし、ＭＳＲ１３０のＶＬＲはまた、一時的な識別子のようなローカルデータを割り当て、格納し得る。オプションとして、ＭＳＲ１３０のＶＬＲは、ＧＰＲＳと非ＧＰＲＳとのサービスおよび機能性の比較的効率的な連携（例えば、ＳＧＳＮ１３１を介して比較的効率的に行われ得る、回路切り替えされた呼と、ＧＰＲＳと非ＧＰＲＳとの組み合わせられたロケーションの最新情報とに対するページング）のために高度化され得る。
【００１７】
ＧＰＲＳ  Ｓｕｐｐｏｒｔ  Ｎｏｄｅ（ＳＧＳＮ）１３１を供給することは、ＭＳＣ１３０のような階層のレベルと同じであり、移動局の個々のロケーションの経過を追う。ＳＧＳＮ１３１はまた、セキュリティー機能およびアクセス制御を行う。Ｇａｔｅｗａｙ  ＧＰＲＳ  Ｓｕｐｐｏｒｔ  Ｎｏｄｅ（ＧＧＳＮ）１３２は、網間接続に外部のパケットスイッチされるネットワークを提供し、ＩＰをベースとするＧＰＲＳバックボーンネットワークを介してＳＧＳＮｓ（ＳＧＳＮ１３１のような）と接続される。ＳＧＳＮ１３１は、既存のＧＳＭによるものと同一のアルゴリズム、キーおよび基準に基づく、認証および暗号の設定の生成を行う。従来の動作において、セル選択は、移動局１０２か、またはトランシーバー機器命令移動局１０２によって、自律的に行われ得、それにより特定のセルを選択する。それが、ルーティングエリアとして知られる、別のセルまたは別のセルのグループを再選択するとき、移動局１０２は、ワイヤレスネットワーク１０４に通知する。
【００１８】
ＧＰＲＳサービスにアクセスするために、移動局１０２は、ＧＰＲＳ「アタッチ」として知られることを行うことによって、その存在をワイヤレスネットワーク１０４に知らせる。この動作は、移動局１０２とＳＧＳＮ１３１との間の論理的なリンクを確立し、移動局１０２が、例えば、ＳＧＳＮを介したページ、着信ＧＰＲＳデータの通達、またはＧＰＲＳ上のＳＭＳメッセージを受信するのに利用させる。ＧＰＲＳデータを送信および受信するために、移動局１０２は、それが用いることを必要とするパケットデータアドレスを稼動させることを支援する。この動作は、移動局１０２にＧＧＳＮ１３２を知らせ、外部のデータネットワークとの網間接続は、その後、開始する。ユーザデータは、移動局１０２と外部のデータネットワークとの間で、例えば、カプセル化およびトンネリングを用いて、透過的に移動させられる。データパケットは、ＧＰＲＳに特有のプロトコル情報を備えられ、移動局１０２とＧＧＳＮ１３２の間を移動させられる。
【００１９】
ワイヤレスネットワーク１０４は、移動局のロケーションを追跡することに対する位置追跡コンポーネントを含む。従来のＧＰＳシステム１５４のＧＰＳ衛星を利用する全地球測位システム（ＧＰＳ）に基づいて、移動局のロケーション情報が得られる。典型的な構成において、ＧＰＳシステム１５４は、１２（１２）時間ごとに地球を旋回する２４（２４）ＧＰＳ衛星を含む。本発明の開示において、移動局１０２は、ＧＰＳシステム１５４から受信された信号に基づくＧＰＳ情報を得て、ワイヤレスネットワーク１０４の中のロケーションサーバー１９０を利用し、それにより、そのロケーションを測定および得る。ロケーションサーバー１９０は、ＭＳＣ１３０および／またはＩＰネットワーク１３４に接続され、位置決定エンティティ（ＰＤＥ）と呼ばれるものを含み得る。ＰＤＥは、ＧＰＳシステム１５４によって送信される信号およびデコーディング情報を受信するために、ＧＰＳレシーバー１９２に結合される。典型的な音声およびデータ通信のために利用される同じＲＦトランシーバー１０８を用いて（または、少なくともそれの一部を共有することによって）、移動局１０２が、ＧＰＳシステム１５４およびロケーションサーバー１９０からのＧＰＳ情報を受信し得ることに留意されたい。このようにして、ＧＰＳシステム１５４からのＧＰＳ情報を受信するために、移動局１０２において、別個のＧＰＳレシーバーが利用されることは必要でない。あるいは、ＧＰＳシステム１５４からのＧＰＳ情報を受信するために、移動局１０２において、別個のＧＰＳレシーバーが利用され得る。
【００２０】
Ｅｎｈａｎｃｅｄ  ９１１（Ｅ９１１）に対する、現在採用されている位置ロケーション技術の間で、Ａｓｓｉｓｔｅｄ  ＧＰＳ（Ａ−ＧＰＳ）は、解決策のうちの１つである。そのようなＧＰＳ技術は、ＴＩＡ／ＥＩＡ／ＩＳ−８０１−１のような標準仕様書の中で述べられる。１つの位置ロケーション技術が述べられる。移動局１０２を伴う音声呼の間に、リアルタイムのＧＰＳロケーション情報が得られ得、受信エンティティに送られ得る。ＧＰＳロケーション情報を得るために、移動局１０２は、ワイヤレスネットワーク１０４の中の、ＧＰＳシステム１５４およびロケーションサーバー１９０とともに動作する。従来、移動局１０２は、ＧＰＳ取得支援データを得、「ＧＰＳ固定」と呼ばれることを行うためにそれを用いる。ＧＰＳ固定のために、移動局１０２は、そのＧＰＳレシーバーを、ＧＰＳシステム１５４のＧＰＳ信号周波数に同調させる。ＧＰＳ固定の間に、移動局１０２は、ＧＰＳシステム１５４から受信されたＧＰＳ信号に基づくＧＰＳ擬似距離測定を行う。音声呼の間のいずれかのときに、移動局１０２は、ＧＰＳ擬似距離データをロケーションサーバー１９０へ送り、ロケーションサーバー１９０は、それに基づいて、移動局１０２のロケーションを導き出す。ロケーションサーバー／ＰＤＥ１９０は、このロケーション情報を受信エンティティ（例えば、パブリックセーフティー応答ポイント、すなわちＰＳＡＰ）および／または移動局１０２へ送る。移動局によって受信された場合、移動局１０２は、ロケーション情報を受信エンティティ（例えば、ＰＳＡＰ）へ送り得る。
【００２１】
図２は、好ましい移動体通信装置または移動局（ＭＳ）２０２の詳細なブロック図である。移動局２０２は、好ましくは、少なくとも音声と高度なデータの通信性能を有する双方向通信装置であり、他のコンピュータシステムと通信する能力を含む。移動局２０２によって提供される機能性に依存して、移動局２０２は、データメッセージング装置、双方向ページャー、データメッセージング性能を有するセルラー方式の電話、ワイヤレスインターネット機器、または（電話通信性能を有するか、または有さない）データ通信装置と呼ばれ得る。移動局２０２は、地理的な到達範囲エリア内で、複数の基地局トランシーバーシステム２００のうちのいずれか１つと通信し得る。図３および図４に関連して後により詳細に述べられる通り、移動局２０２は、移動局２０２が通信する基地局トランシーバーシステム２００のうちの１つを選択するか、または選択を助ける。
【００２２】
移動局２０２は、通信サブシステム２１１を標準的に内蔵し、通信サブシステム２１１は、レシーバー２１２、トランスミッター２１４および関連するコンポーネントを含み、それらは例えば、１つ以上の（好ましくは、組み込まれた、または内部の）アンテナ要素２１６および２１８、ローカル発振器（ＬＯｓ）２１３、ならびにデジタル信号プロセッサ（ＤＳＰ）２２０のような処理モジュールである。通信サブシステム２１１は、図１に示されるＲＦトランシーバー回路網１０８およびアンテナ１１０と類似している。通信の分野における当業者にとって明白であるように、通信サブシステム２１１の特定の設計は、移動局２０２が動作するように意図される通信ネットワークに依存する。
【００２３】
必要とされるネットワーク登録または必要とされる起動手順が完了した後に、移動局２０２は、そのネットワーク上で通信信号を送信および受信し得る。そのネットワークを介してアンテナ２１６によって受信される信号は、レシーバー２１２に入力され、レシーバー２１２は、信号増幅、周波数のダウンコンバージョン、フィルタリング、チャネル選択などおよび、図２に示される例においては、アナログデジタル（Ａ／Ｄ）変換のような一般的なレシーバー機能を行い得る。受信した信号のＡ／Ｄ変換は、ＤＳＰ２２０において行われる復調およびデコーディングのような比較的複雑な通信機能を行うことを可能にする。同様の方法において、変調およびエンコーディングを含む、送信される信号は、例えばＤＳＰ２２０によって処理される。これらのＤＳＰ処理された信号は、デジタルアナログ（Ｄ／Ａ）変換と、周波数のアップコンバージョンと、フィルタリングと、増幅と、アンテナ２１８を介した通信ネットワーク上の伝送とのために、トランスミッター２１４に入力される。ＤＳＰ２２０は、通信信号を処理するだけでなく、レシーバーおよびトランスミッターの制御を提供する。例えば、レシーバー２１２およびトランスミッター２１４における通信信号に印加されるゲインは、ＤＳＰ２２０においてインプリメントされる自動ゲイン制御アルゴリズムを介して、適応的に制御され得る。
【００２４】
ネットワークアクセスは、移動局２０２の加入者またはユーザと関連し、それゆえ移動局２０２は、Ｓｕｂｓｃｒｉｂｅｒ  Ｉｄｅｎｔｉｔｙ  Ｍｏｄｕｌｅまたは「ＳＩＭ」カードまたはＲｅｍｏｖａｂｌｅ  Ｕｓｅｒ  Ｉｄｅｎｔｉｔｙ  Ｍｏｄｕｌｅ（Ｒ−ＵＩＭ）のようなメモリモジュール２６２を必要とし、ネットワークにおいて動作するために移動局２０２のインタフェース２６４に挿入されるか、または接続される。あるいは、不揮発性メモリか、またはフラッシュメモリ２２４の一部は、サービスプロバイダーによって構成データとともにプログラムされることにより、移動局２０２は、ネットワークにおいて動作し得る。移動局２０２は、ポータブルの手持ち式のバッテリー式の装置であるため、それはまた、１つ以上の充電可能なバッテリー２５６を受容するためのバッテリーインタフェース２５４を含む。そのようなバッテリー２５６は、電気出力を移動局２０２内の全てでないにせよほとんどの電気回路網に提供し、バッテリーインタフェース２５４は、バッテリー２５６に対して機械接続および電気接続を提供する。バッテリーインタフェース２５４は、調整器（図２には示されていない）に結合され、調整器は、回路網の全てに電力を供給する。
【００２５】
移動局２０２は、マイクロプロセッサ２３８（マイクロプロセッサ２３８は、図１の制御装置１０６の一インプリメンテーションである）を含み、マイクロプロセッサ２３８は、移動局２０２の全体の動作を制御する。この制御は、呼、または本発明の開示の通信特徴を含む。通信機能は、少なくともデータおよび音声の通信を含み、通信サブシステム２１１を介して行われる。マイクロプロセッサ２３８はまた、ディスプレイ２２２、フラッシュメモリ２２４、ランダムアクセスメモリ（ＲＡＭ）２２６、補助の入力／出力（Ｉ／Ｏ）サブシステム２２８、シリアルポート２３０、キーボード２３２、スピーカー２３４、マイクロホン２３６、短距離通信サブシステム２４０、および２４２で一般に設計される任意の他の装置サブシステムのようなさらなる装置サブシステムとやり取りする。図２に示されるサブシステムの一部は、通信関連の機能を行うのに対して、他のサブシステムは、「常駐の」機能または装置に搭載される機能を提供し得る。特に、キーボード２３２およびディスプレイ２２２のような一部のサブシステムは、例えば、通信ネットワーク上の伝送のためのテキストメッセージの入力のような通信関連の機能と、電卓または作業リストのような装置常駐機能との両方に対して用いられ得る。マイクロプロセッサ２３８によって用いられるオペレーティングシステムソフトウェアは、好ましくは、フラッシュメモリ２２４のような永続的な記憶装置に格納され、その記憶装置は、選択的に、リードオンリーメモリ（ＲＯＭ）または同様のストレージ要素（示されていない）であり得る。オペレーティングシステム、特定の装置のアプリケーション、またはその部品が、ＲＡＭ２２６のような不揮発の記憶装置に一時的にロードされ得ることを、当業者は正しく認識する。
【００２６】
マイクロプロセッサ２３８は、そのオペレーティングシステム機能に加えて、好ましくは、移動局２０２上のソフトウェアアプリケーションの実行を可能にする。基本的な装置の動作を制御する、所定の一組のアプリケーションは、少なくともデータおよび音声の通信アプリケーション（ネットワーク再確立方式のような）を含み、標準的に、その製造の間に移動局２０２上にインストールされる。移動局２０２上へロードされ得る好ましいアプリケーションは、電子メール、カレンダーイベント、音声メール、予定および作業項目のような（しかしそれらに限定されない）ユーザに関連したデータ項目を編成し、かつ、メッセージとして送る能力を有する個人情報管理（ＰＩＭ）アプリケーションであり得る。必然的に、１つ以上のメモリの記憶装置は、移動局２０２およびＳＩＭ２５６上で利用可能であり、それにより、ＰＩＭデータ項目および他の情報のストレージを促進する。
【００２７】
ＰＩＭアプリケーションは、好ましくは、ワイヤレスネットワークを介してデータ項目を送信および受信する能力を有する。好ましい実施形態において、ＰＩＭデータ項目は、ホストコンピュータシステムに格納および／または関連した、移動局ユーザの対応するデータ項目と、シームレスに、統合され、同期され、ワイヤレスネットワークを介してアップデートされ、それにより、そのような項目に対して、移動局２０２についてミラーリングされるホストコンピュータを生成する。ホストコンピュータシステムが移動局ユーザの職場のコンピュータシステムであることが、特に有利である。さらなるアプリケーションはまた、ネットワーク、補助のＩ／Ｏサブシステム２２８、シリアルポート２３０、近距離の通信サブシステム２４０、または任意の他の適したサブシステム２４２を介して移動局２０２へロードされ得、マイクロプロセッサ２３８による実行のために、ユーザによって、ＲＡＭ２２６の中か、または好ましくは不揮発性の記憶装置（示されていない）の中にインストールされ得る。そのようなアプリケーションのインストールにおける柔軟性は、移動局２０２の機能性を向上させ、装置に搭載される高度化された機能と、通信関連の機能との両方を提供し得る。例えば、セキュアな通信アプリケーションは、移動局２０２を用いて、電子商取引機能および他のそのような金銭上の取引が行われることを可能にし得る。
【００２８】
データ通信モードにおいて、テキストメッセージ、電子メールのメッセージまたはウェブページのダウンロードのような受信信号は、通信サブシステム２１１によって処理され、マイクロプロセッサ２３８に入力される。マイクロプロセッサ２３８は、ディスプレイ２２２か、または選択的に補助のＩ／Ｏ装置２２８への出力のために、好ましくは、信号をさらに処理する。移動局２０２のユーザはまた、例えば、ディスプレイ２２２と共に、キーボード２３２とおそらく補助のＩ／Ｏ装置２２８とを用いて、電子メールのメッセージのようなデータ項目を構成し得る。キーボード２３２は、好ましくは、完全な英数字のキーボードおよび／または電話タイプのキーパッドである。これらの構成された項目は、通信サブシステム２１１を介して通信ネットワーク上に送信され得る。
【００２９】
音声通信について、受信信号がスピーカー２３４に出力されることと、送信する信号がマイクロホン２３６によって生成されることとを除いて、移動局２０２の全体の動作は、実質的に同様である。あるいは、音声メッセージ録音サブシステムのような音声またはオーディオのＩ／Ｏサブシステムはまた、移動局２０２にインプリメントされ得る。一部の例として、音声またはオーディオの信号の出力は、好ましくは、スピーカー２３４を介して優先的に果たされ、ディスプレイ２２２はまた、音声呼の間か、または情報に関連した他の音声呼の間に、呼の相手の識別についての表示を提供するように用いられ得る。
【００３０】
図２のシリアルポート２３０は、ユーザのデスクトップコンピュータとの同期をするための携帯情報端末（ＰＤＡ）タイプの通信装置の中に標準的にインプリメントされ、オプションではあるが、所望のコンポーネントである。シリアルポート２３０は、ユーザが外部の装置またはソフトウェアアプリケーションを介して基本設定を設定することを可能にし、ワイヤレス通信ネットワークを介するものとは別の方法で、移動局に情報を提供するか、または移動局２０２へソフトウェアをダウンロードすることによって、移動局２０２の性能を拡張する。代替のダウンロード経路は、例えば、直接の接続、かつ、そのように信頼できる接続、かつ、信用できる接続を介して移動局２０２へ暗号化キーをロードするように用いられ得、それにより、セキュアな装置の通信を提供する。
【００３１】
図２の短距離の通信サブシステム２４０は、さらなるオプションのコンポーネントであり、そのコンポーネントは、移動局２０２と、異なるシステムまたは装置との間の通信を提供し、その異なるシステムまたは装置は、同様の装置である必要はない。例えば、サブシステム２４０は、赤外線装置および関連した回路および関連したコンポーネント、またはＢｌｕｅｔｏｏｔｈ（登録商標）通信モジュールを含み得、それにより、同様に動作可能なシステムおよび装置との通信を提供する。Ｂｌｕｅｔｏｏｔｈ（登録商標）は、Ｂｌｕｅｔｏｏｔｈ  ＳＩＧの登録商標である。
【００３２】
図１に戻って参照すると、移動局１０２は、移動局１０２のロケーションの識別のために、ＧＰＳロケーション情報を、要求するエンティティ（例えば、呼の相手１５０または緊急センター１５２を終端する）へ提供するように動作し得る。これを行うために、一部の異なる技術のうちの１つは、ワイヤレスネットワーク１０４において利用可能であり得る。その１つについて、移動局１０２は、動作についてのそのアイドルモードの間か、または音声呼の間に、ＧＰＳナビゲーションのタイプのデータが定期的にまたは周期的に要求され、受信され、メモリに格納されるようにする。ＧＰＳナビゲーションのタイプのデータは、「未加工の」ナビゲーションのデータか、または（選択的に）未加工のナビゲーションのデータから引き出されたデータであり得、未加工のナビゲーションのデータから引き出されたデータは、ＧＰＳ天体位置表のパラメータデータおよび／またはＧＰＳアルマナック（ａｌｍａｎａｃ）パラメータデータ（従ってその用語は「ナビゲーションのタイプの」データ）を含み得る。ＧＰＳナビゲーションのタイプのデータは、ワイヤレスネットワークか、または（選択的に）ＧＰＳシステム１５４から直接的にか、または両方を介して、ロケーションサーバー１９０から受信され得る。移動局１０２に対するＧＰＳ取得支援情報を導き出すために、ロケーションサーバー／ＰＤＥ１９０が、三角測量手法／三辺測量手法を利用し、それにより移動局１０２の粗いロケーションを得ることに留意されたい。あるいは、基地局（単数または複数）からのブロードキャストのメッセージから入手し得る、供給する基地局（単数または複数）の経度および緯度は、ロケーションサーバー／ＰＤＥ１９０についての粗いロケーションとして用いられ得、それにより移動局１０２に対するＧＰＳ取得支援情報を導き出す。
【００３３】
続いて、移動局１０２は、ＧＰＳロケーション情報を得るためのＧＰＳ手順を行う。特に、移動局１０２は、受信され、かつ、メモリに格納された直前のＧＰＳナビゲーションのタイプのデータに基づいて、ＧＰＳ取得支援データおよび／または感度支援データを導き出す。ＧＰＳ取得支援データは、周辺の適切なＧＰＳ衛星と、適切なドップラー周波数と、適切な時間遅延ウィンドウ情報とを識別するデータを含み得る。感度支援データは、ＧＰＳナビゲーションのデータについての予測されたビットコンテンツ（ｂｉｔ  ｃｏｎｔｅｎｔｓ）を含み、その予測されたビットコンテンツは、ＧＰＳ固定が行われようとする時点で、ＧＰＳ信号に調節される。次いで、移動局１０２は、ＧＰＳ固定がＧＰＳシステム１５４とともに行われることをもたらす。ＧＰＳ固定の間に、移動局１０２のＧＰＳレシーバー／ワイヤレスレシーバーは、ＧＰＳ周波数に同調され、それによりＧＰＳシステム１５４からのＧＰＳ信号を受信する。移動局１０２は、ＧＰＳシステム１５４から受信したＧＰＳ信号に基づいて、移動局１０２に関連したＧＰＳ測定データを得る。ＧＰＳ測定データは、ＧＰＳ擬似距離データであり得るか、またはＧＰＳ擬似距離データを含み得る。
【００３４】
音声呼の間に、トラフィックチャネルが、移動局１０２とワイヤレスネットワーク１０４との間で維持されることにより、例えば、音声通信は、移動局１０２のエンドユーザと終端する呼の相手１５０との間で行われ得る。終端する呼の相手１５０は、電話番号に関連し、電話番号は、移動局１０２のエンドユーザによって選択され得る。終端する呼の相手１５０は、任意の通常の、呼の相手（例えば、エンドユーザの家族、友人または同僚）か、または（選択的に）「９１１」と関連した緊急呼センターか、またはパブリックセーフティー応答ポイント（すなわちＰＳＡＰ）のような他の緊急電話番号かであり得る。音声呼の間のいずれかのときに、移動局１０２は、ワイヤレスネットワーク１０４の基地局信号からの測定値が作成されることをもたらす。これらの測定値は、移動局１０２の粗いロケーションの提供の目的のためではなく、利用可能なＧＰＳ擬似距離が単独でそのロケーションを正確に決定するために十分でない場合に、むしろロケーションの正確性を高度化させるための、擬似距離の組み合わせの用途のために取得される。
【００３５】
次いで、移動局１０２は、測定データおよびロケーション決定に対する要求をロケーションサーバーまたはＰＤＥ１９０へ送信されるようにする。ＧＰＳ測定データの送信は、ロケーションサーバー１９０または他の要求エンティティからの要求に応答して行われ得るか、または独立して移動局１０２によって行われ得る（例えば、「９１１」のような緊急番号のような電話番号がダイアルされることによって誘発される）。次いで、ロケーションサーバー／ＰＤＥ１９０は、そのデータを用いて、三角測量技術／三辺測量技術に基づいて、移動局１０２のロケーションを計算する。移動局１０２のロケーション情報は、緯度、経度および標高の情報であるか、または緯度、経度および標高の情報を含む。ロケーションサーバー１９０は、結果として生じる移動局１０２のロケーション情報を直接に終端する呼の相手１５０に、その要求があろうとなかろうと送信し得る。あるいは、ロケーションサーバー１９０は、ロケーション情報を移動局１０２に送信し得、移動局１０２は、次に、終端する呼の相手１９０に送信する。代替のアプローチにおいて、移動局１０２が、ＭＳのみのアプローチにおいて単独でロケーション情報を計算するように適合される場合に、ロケーションサーバー／ＰＤＥ１９０は、上記に述べられるように利用される必要がない。
【００３６】
図３は、緊急通信の処理において、移動体通信装置による例示的な使用の方法のフローチャートである。その方法は、１つ以上の、プロセッサ、メモリ、ユーザインタフェースおよびそのワイヤレストランシーバー（例えば、図１、図２を参照）を用いて、述べられたような該当するシステムコンポーネントと関連して移動体装置によって行われ得る。その方法は、コンピュータプログラム製品でさらに具体化され得、コンピュータプログラム製品は、コンピュータ読み取り可能な媒体（例えば、メモリまたはコンピュータディスク）を含み、そこに格納されるコンピュータの命令を有し、その命令は、移動体装置の１つ以上のプロセッサ（例えばマイクロプロセッサ）によって実行可能である。
【００３７】
一般に、述べられるように、図３の方法は、パブリックセーフティー応答ポイント（ＰＳＡＰ）エンティティを用いた緊急呼を伴い、緊急呼は、ワイヤレスネットワークを介して移動体装置によって確立される。緊急呼が切断されると、移動体装置は、パブリックセーフティー応答ポイントエンティティからの、継続される緊急呼のための着信呼メッセージを受信するようにモニターする。そのような着信呼メッセージに応答して、移動体装置は、可聴のアラートを生成することを控え、そのユーザインタフェースを介していずれのマニュアル応答も検出することなく、パブリックセーフティー応答ポイントエンティティからの継続される緊急呼に自動的に応答する。初期の緊急呼からは、利用不能であった適切な情報は、それゆえ継続される緊急呼の中に得られ得る。この情報は、例えば、ＧＰＳベースのロケーション情報を含み得、そのロケーション情報は、移動体装置の地理的な位置を識別する。一つの特定のアプローチにおいて、着信呼メッセージが切断後の期間内に受信される場合、かつ、着信呼メッセージのデータ表示が、メッセージが継続される緊急呼または自動応答のためのものであることを表示する場合、移動体装置は、自動的に、その呼に応答する。そうでなければ、着信呼メッセージが、切断後の期間外で受信される場合か、または、データ表示が、着信呼メッセージが継続される緊急呼もしくは自動応答のためのものであることを表示しない場合、移動体装置は、着信呼メッセージと関連した呼に自動的に応答することを控える。
【００３８】
図３の開始ブロック３００から始めると、移動体装置のエンドユーザがワイヤレス通信ネットワークを介して音声呼で電話をすることを試み得るとき、移動体装置は、ユーザの入力信号に対するそのユーザインタフェースをモニターする（図３のステップ３０２）。プロセッサが、ユーザインタフェースを介して音声呼に対する呼の要求を検出する場合（図３のステップ３０４）、プロセッサは、呼の要求が緊急呼に対するものであるかどうかを識別する（図３のステップ３０６）。呼の要求が緊急呼に対するものであるかどうかを識別するために、プロセッサは、その呼に対してエンドユーザによって入力または選択された所定のコード（例えば、９１１または同様のもの）か、緊急呼に対応する所定のユーザ入力選択（例えば、移動体装置によって提供される「ＰＬＡＣＥ  ＥＭＥＲＧＥＮＣＹ  ＣＡＬＬ」ボタンまたはアイコンのユーザ選択）か、または移動体装置に関連したセンサー出力信号（例えば、移動体装置からの「マンダウン」信号）かを識別し得る。ステップ３０６において、呼の要求が非緊急呼に対するものである場合、プロセッサは、通常または従来の呼のセットアップ手順を行い、非緊急呼に対する処理を行う（図３のステップ３０８）。
【００３９】
ステップ３０６において識別されたときに呼の要求が緊急呼に対するものである場合、プロセッサは、緊急呼がワイヤレストランシーバーを介してＰＳＡＰエンティティへ導かれるようにする（図３のステップ３１８）。呼のセットアップの時間に、自動番号識別（ＡＮＩ）、または移動体装置に関連した発信者識別（発信者ＩＤ）は、ＰＳＡＰエンティティへ通信される（図３のステップ３２０）。ＡＮＩ情報は、一意に移動体装置を識別する移動体識別子に対応する番号であり得るか、またはその番号を含み得る。ＰＳＡＰエンティティが、ＡＮＩ情報を受信し、着信呼に応答することによって、緊急呼は、ワイヤレスネットワークを介して、確立され、移動体装置とＰＳＡＰエンティティとの間で維持される（図３のステップ３２２）。その呼の間に、移動体装置は、ＰＳＡＰエンティティからの任意のロケーション情報要求（例えば、ＧＰＳ位置）を受信するためにモニターする（図３のステップ３２４）。ステップ３２４において識別されたときにロケーション情報要求が受信される場合、プロセッサは、移動体装置の地理的なロケーションに対応するロケーション情報がＰＳＡＰエンティティによる使用のために送信されるようにする（図３のステップ３２６）。これは、図１に関して上記に述べられる技術を用いて、少なくとも一部が行われ得る。あるいは、情報の送信が、移動局１０２によって自律的に行われ得る（すなわち、ステップ３２２の後に、ステップ３２４におけるいずれの要求も受信することなく、ステップ３２６が行われる）。ＰＳＡＰエンティティは、それゆえ移動体装置の地理的なロケーションを獲得し得る。
【００４０】
条件にかなう場合、移動体装置とＰＳＡＰエンティティとの間の緊急呼の間に、全ての必要な情報が、適正に通信されることによって、緊急状況は、適正に扱われ得る。適切な情報の例は、移動体装置の電話番号（ＡＮＩまたは発信者ＩＤ）や、移動体装置の地理的なロケーション（ＧＰＳベースの地理的なロケーション）や、移動体装置のロケーションのアドレスや、移動体装置のエンドユーザの名前および他の関連する関係者の名前や、緊急状況を扱うための、エンドユーザに有用な情報などを含む。しかし、緊急呼が、尚早に切断されると、全ての該当する情報が適正に通信されないようになり得る（図３のステップ３２８）。緊急呼は、多くの異なる方法で、切断状態になり得る。例えば、移動体装置は、緊急呼の間に、ワイヤレスネットワークを含めた到達範囲の中に存在し得るが、次いで、その後、ワイヤレスネットワークを含めた到達範囲の外に存在するように位置を変え得るか、または新しい場所に移り得、それにより、呼が切断されるようにする。別の例として、緊急呼は、意図せずにまたは意図的に、エンドユーザまたは第三者によって終了させられ得る。
【００４１】
本明細書に述べられる通り、本開示発明の技術を利用し、ＰＳＡＰエンティティは、継続される緊急呼において、移動体装置にコールバックすることができる。ＰＳＡＰエンティティからのこの継続される緊急呼は、無音の音声呼および／または自動的に応答される音声呼であり得る。
【００４２】
プロセッサは、図３のステップ３２８で、緊急呼の切断を検出した場合、プロセッサは、タイマーを設定し得、起動し得る（図３のステップ３３０）。ステップ３３０におけるタイマー設定は、移動体装置によって利用され得、それにより、ＰＳＡＰエンティティが移動体装置にコールバックし得る範囲内で、切断からの期間を定義する。その期間は、例えば、２〜１０分の間のどこかになり得るが、他の期間も適し得る。
【００４３】
プロセッサは、次いで、ユーザインタフェースでのユーザの入力信号（ステップ３０２）と、ワイヤレストランシーバーを介した着信メッセージ（ステップ３１０）とについてモニターすることに戻る。好ましい方式において、ステップ３０２に関して、プロセッサは、タイマーによって定義される期間の間、エンドユーザによってワイヤレスネットワークを介して移動体装置から試みられるいずれの呼（おそらく、エンドユーザによる、任意の追跡の緊急呼を除く）も抑制する。タイマーの満了後、その処理は、エンドユーザによって移動体装置から試みられる呼を許可する。
【００４４】
切断後に、ステップ３１０において、ワイヤレストランシーバーを介したメッセージについてモニターする間、音声呼について移動体装置へ指向させられる着信呼メッセージは、受信され得る（図３のステップ３１２）。切断後に、着信呼メッセージは、ＰＳＡＰエンティティからの継続される緊急呼のために存在し得る。ＰＳＡＰエンティティは、移動体装置に関連した、ＡＮＩ情報または発信者ＩＤ情報を利用し、それにより、この継続される緊急呼で電話をかける。ステップ３１２において、着信呼メッセージが全く受信されない場合、プロセッサは、ステップ３０２および３１０において、ユーザ入力信号および無線メッセージのためにモニターすることを継続する。
【００４５】
しかし、ステップ３１２において、移動体装置に指向させられる着信呼メッセージが受信される場合、着信呼メッセージが、移動体装置による無音および／または自動的な応答を必要とする呼のためのものかどうかを、プロセッサは識別する（図３のステップ３１４）。ステップ３１４に関連した第１の実施形態において、ＰＳＡＰエンティティからの呼のための着信呼メッセージが、ステップ３３０において設定されたタイマーによって定義される期間内に受信される場合、プロセッサは、移動体装置のユーザインタフェースを介していずれのマニュアル応答も検出することなく、着信呼が自動的に応答されるようにする（図３のステップ３３２）。また、プロセッサは、その呼についてアラートするためのいずれの可聴のアラートも生成することを控える。しかし、着信呼メッセージが、タイマーによって定義される期間外で受信される場合、プロセッサは、着信呼のための通常または標準の呼の手順が行われるようにする（図３のステップ３１６）。標準の呼の手順のために、プロセッサは典型的に、着信呼のエンドユーザにアラートするために移動体装置において可聴のアラートが生成されるようにし、その呼が応答されるようにするためにプロセッサがユーザインタフェースを介してマニュアル応答信号を検出（例えば、キーもしくはボタンの操作か、または移動体装置の筐体の回転もしくはスライドの検出）することを必要とする。
【００４６】
ステップ３１４と関連した第２の実施形態において、呼が継続される緊急呼であることを示す（すなわち、無音および／または自動的な応答のための）データ表示を着信呼メッセージが含む場合、ステップ３３２において移動体装置のユーザインタフェースを介していずれのマニュアル応答も検出することなく、プロセッサは、着信呼が自動的に応答されるようにする。また、プロセッサは、その呼についてアラートするためのいかなる可聴のアラートも生成することを控える。下記の図５に関連する後述の議論を参照されたい。しかし、その呼が継続される緊急呼のためのものか、または無音自動応答のためのものかであることをデータ表示が示さない場合、ステップ３１６において、プロセッサは、着信呼のための通常または標準の呼の手順が行われるようにする。再度、標準の呼の手順において、プロセッサは典型的に、着信呼のエンドユーザにアラートするために移動体装置において可聴のアラートが生成されるようにし、その呼に応答するためにプロセッサがユーザインタフェースを介してマニュアル応答信号を検出することを必要とする。
【００４７】
ステップ３１４と関連した第３の実施形態において、ＰＳＡＰエンティティからの呼のための着信呼メッセージが、ステップ３３０において設定されたタイマーによって定義される期間内に受信され、かつ、呼が継続される緊急呼であることを示す（すなわち、無音および／または自動的な応答のための）データ表示を着信呼メッセージが含む場合、ステップ３３２において、プロセッサは、移動体装置のユーザインタフェースを介していずれのマニュアル応答も検出することなく、着信呼が自動的に応答されるようにする。また、プロセッサは、その呼についてアラートするためのいずれの可聴のアラートも生成することを控える。しかし、着信呼メッセージが、タイマーによって定義される期間外で受信される場合、または、その呼が継続される緊急呼のためのものかもしくは無音自動応答のためのものかであることをデータ表示が示さない場合、ステップ３１６において、プロセッサは、着信呼のための通常または標準の呼の手順が行われるようにする。このようにして、この第３の実施形態において、自動／無音応答を導くための手段は、期間の変数とデータ表示の変数との両方に依存する。
【００４８】
ステップ３１４と関連した第４の実施形態において、ＰＳＡＰエンティティからの呼のための着信呼メッセージが、ステップ３３０において設定されたタイマーによって定義される期間内に受信される場合、または、呼が継続される緊急呼であることを示す（すなわち、無音および／または自動的な応答のための）データ表示を着信呼メッセージが含む場合、ステップ３３２において移動体装置のユーザインタフェースを介していずれのマニュアル応答も検出することなく、プロセッサは、着信呼が自動的に応答されるようにする。また、プロセッサは、その呼についてアラートするためのいずれの可聴のアラートも生成することを控える。しかし、着信呼メッセージが、タイマーによって定義される期間外で受信され、かつ、その呼が継続される緊急呼のためのものか、または無音自動応答のためのものかであることをデータ表示が示さない場合、ステップ３１６において、プロセッサは、着信呼のための通常または標準の呼の手順が行われるようにする。このようにして、この第４の実施形態において、期間の変数とデータ表示の変数とは、独立し、自動／無音応答を導くための別個の手段を有利に提供する。ステップ３３２の後、継続される緊急呼が移動体装置によって自動的に応答される場合には、ステップ３２２において示される通り、移動体装置は、継続される緊急呼を維持する。ステップ群は、フローチャートにおいて規定される必要なステップだけ繰り返し得る。移動体装置とＰＳＡＰエンティティとの間の緊急呼の間、継続される緊急呼が、全ての必要な情報が確実に適正に通信され得るようにすることによって、緊急状況は適正に扱われ得る。
【００４９】
一つの特定の実施形態において、移動体装置が、ワイヤレスネットワークについての到達範囲外の状態に遭遇することによって、ステップ３２８における緊急呼の切断はもたらされる。緊急呼が切断されることをもたらした、ワイヤレスネットワークについての到達範囲外の状態の後、プロセッサは、ワイヤレスネットワークについての到達範囲内の状態が確保されたことを識別し得る。応答して、プロセッサは、メッセージがワイヤレスネットワークに送信されるようにする。ワイヤレスネットワークは、このメッセージを受信し、それにより、移動体装置が再び利用可能であることを識別し、このメッセージまたは対応するメッセージがＰＳＡＰエンティティへ通信され得、それにより、同様のものを表示する。その後、このメッセージに応答して、ＰＳＡＰエンティティは、継続される緊急呼が移動体装置へ電話されるようにする。
【００５０】
図５は、着信呼メッセージ５０２の例示的な記述であり、着信呼メッセージ５０２は、１つ以上のデータフィールドの中にデータ表示５０６を有し得、それにより、着信呼メッセージ５０２が継続される緊急呼の移動体装置のための（すなわち、無音および／または自動的な応答のための）ものであるかどうかを示す。この実施形態において、着信呼メッセージ５０２は、無線インタフェースメッセージまたはエアインタフェースメッセージであり、無線インタフェースメッセージまたはエアインタフェースメッセージは、ワイヤレスネットワークの上を制御チャネルまたはページングチャネルを渡ってブロードキャストされる。環境または状況に依存して、着信呼メッセージ５０２は、ページメッセージ、呼制御メッセージまたはセットアップメッセージと呼ばれるか、または呼ばれ得る。データ表示５０６がビット表示である場合、例えば、ビット「１」は、着信呼が継続される緊急呼であること（すなわち、無音および／または自動的な応答のため）を示し得るのに対して、ビット「０」は、着信呼が継続される緊急呼でないこと（すなわち、無音および／または自動的な応答のためでない）を示し得る。着信呼メッセージ５０６は、着信呼が指向させられる移動体装置を一意に識別する移動体識別子５０４のような他の該当する情報も含む。ブロードキャストされるメッセージのためにモニターしている間、移動体装置のプロセッサは、移動体識別子５０４と、格納されるそれ自体の移動体識別子とを比較し、一致した場合、プロセッサは、図３のステップ３１４に関して述べられるようなアクトを行う。
【００５１】
自動応答のための同様のデータ表示５０６はまた、呼についてエンドユーザにアラートするための可聴のアラートを生成することなく、移動体装置が着信呼に無音で応答するように指示し得ることに留意されたい。代替の実施形態において、データ表示５０６は、移動体装置によって着信呼が自動的に応答されるものであることを表示するように利用されるが、着信呼メッセージの中の、データ表示５０６とは異なる別個のデータ表示は、その着信呼が無音で応答されるものであるか否かを表示するように利用される。
【００５２】
先行して図９を参照すると、ＧＳＭ／ＧＰＲＳネットワークのために、本発明の開示の呼処理において利用され得る、即時接続の特徴を説明するための呼のフロー図９００の関連した一部が示される。呼のフロー図９００は、ＧＳＭ仕様書の中で述べられる通り、移動体装置のためのＧＳＭ呼制御レイヤー処理に基づく。ＭＮＣＣは、Ｍｏｂｉｌｅ  Ｎｅｔｗｏｒｋ  Ｃａｌｌ  Ｃｏｎｔｒｏｌに対する頭文字であり、ＭＭＣＣは、Ｍｏｂｉｌｉｔｙ  Ｍａｎａｇｅｍｅｎｔ  Ｃａｌｌ  Ｃｏｎｔｒｏｌに対する頭文字である。そのような処理は、図３のステップ３１２、３１４、３１６および３２０に関して行われ得る。処理９０４（Ｕ９  ＭＴ  ＣＡＬＬ  ＣＯＮＦＩＲＭＥＤ）で始まり、そこで、移動体装置によって通常の非緊急呼が受信され、移動体装置は、ＭＮＣＣ＿ＡＬＥＲＴ＿ＲＥＱの後に処理９０６（ＤＲ（ＡＬＥＲＴ））へ進み、処理９０８（Ｕ７  ＣＡＬＬ  ＲＥＣＥＩＶＥＤ）によって続けられ、ＭＮＣＣ＿ＳＥＴＵＰ＿ＲＥＳＰの後に処理９１０（ＤＲ（ＣＯＮＮ））によって続けられ、処理９１２（Ｕ８  ＣＯＮＮＥＣＴ  ＲＥＱＵＥＳＴ）によって続けられる。しかし、継続される緊急呼（すなわち、無音の呼／自動的な呼）のために、処理９０４（ＭＴ  ＣＡＬＬ  ＣＯＮＦＩＲＭＥＤ）からの処理フローは、ＭＮＣＣ＿ＳＥＴＵＰ＿ＲＥＳＰの後に処理９０２へ直接進み、処理９１２（Ｕ８  ＣＯＮＮＥＣＴ  ＲＥＱＵＥＳＴ）によって続けられる。明らかなように、移動体装置は、継続される緊急呼（即ち、無音の呼／自動的な呼）のために処理９０６、９０８および９１０を行うことを控えるが、その代わりにＭＮＣＣ＿ＳＥＴＵＰ＿ＲＥＳＰおよび処理９０２を行う。図９に関する議論はこれで終了する。
【００５３】
好ましくは、移動体装置に対する呼のための自動的および／または無音の応答は、他のプログラム可能なデータ表示にもかかわらず行われ、他のプログラム可能なデータ表示は、移動体装置のために提供され得るか、または移動体装置によって利用され得る。説明するために、図６は、移動体装置のメモリ６０２の例示的な記述であり、移動体装置のメモリ６０２は、その中に格納されるプログラム可能なデータ表示６０４および６０６を有し得る。プログラム可能なデータ表示６０４は、移動体装置への着信呼のための可聴のアラート応答モードか、または無音応答モードかのどちらかを設定するためのものであるのに対して、プログラム可能なデータ表示６０６は、移動体装置への着信呼のためのマニュアル応答モードか、または自動応答モードかのどちらかを設定するためのものである。プログラム可能なデータ表示６０４および６０６は、所望される場合、エンドユーザがこれらのモードを変更し得るという点でプログラム可能である。プロセッサは、ユーザインタフェースというユーザの入力装置を介して受け取られるユーザの入力信号に基づいて、移動体装置のそのモードを制御および／または選択し得る。ユーザの入力装置は、例えば、移動体装置の１つ以上のボタンまたはキーであり得るか、またはそれらを含み得る。エンドユーザによる操作、ボタンまたはキーに応答して、プロセッサは、例えば、モードの間の選択またはトグルに備え得る。好ましくは、プロセッサは、グラフィカルユーザインタフェース（ＧＵＩ）が視覚的ディスプレイにおいて提供され、表現されるようにし、グラフィカルユーザインタフェースは、異なるモード間のエンドユーザの選択のためのＧＵＩボタンまたはメニューリストを含む。
【００５４】
再び、図６のプログラム可能なデータ表示６０６は、移動体装置の着信呼のための可聴のアラート応答モードか、または無音応答モードかのどちらかを設定するためのものである。プログラム可能なデータ表示がビット表示である場合、例えば、ビット「０」は、着信呼のための可聴のアラート応答モードが利用されるものであることを表示し得、ビット「１」は、着信呼のための無音応答モードが利用されるものであることを表示し得る。逆のビット定義または他のビット構成が、代替として利用され得ることに留意されたい。換言すれば、ビット「０」は、着信呼のための装置設定が利用されるものであることを表示し得、ビット「１」は、着信呼のための遠隔の無音応答制御が利用されるものであることを表示し得る。典型的に、プロセッサが、移動体装置への通常の着信音声呼のための着信呼メッセージを受信し、かつ、可聴のアラート応答モードが有効である場合、プロセッサは、ユーザインタフェースを介して可聴のアラートが生成されるようにし、それにより、エンドユーザに着信呼をアラートする。他方、プロセッサが、移動体装置への通常の着信音声呼のための着信呼メッセージを受信し、かつ、無音応答モードが有効である場合、プロセッサは、ユーザインタフェースを介して、エンドユーザに着信呼をアラートするためのいかなる可聴のアラートも生成されるようにすることを控える。しかし、プログラム可能なデータ表示６０６が、可聴のアラート応答モードを有効にするように設定されるが、着信音声呼のための着信呼メッセージが、無音の（自動的な）応答についてのデータ表示（例えば、図５参照）を有する場合、プロセッサは、それでもなお、ユーザインタフェースを介して、エンドユーザに着信呼をアラートするためのいかなる可聴のアラートも生成されるようにすることを控える。そのような機能性についての、一例の真理値表論理に対する下記の表１を参照されたい。
【００５５】
【表１】
2010530664.tif 000003
他方、図６のプログラム可能なデータ表示６０４は、移動体装置のマニュアル応答モードか、または自動的な応答モードかのどちらかを設定するためのものである。プログラム可能なデータ表示がビット表示である場合、例えば、ビット「０」は、着信呼のためのマニュアル応答モードが利用されるものであることを表示し得、ビット「１」は、着信呼のための自動応答モードが利用されるものであることを表示し得る。逆のビット定義または他のビット構成が、代替として利用され得ることに留意されたい。換言すれば、ビット「０」は、着信呼のための装置設定が利用されるものであることを表示し得、ビット「１」は、着信呼のための遠隔の自動応答制御が利用されるものであることを表示し得る。典型的に、プロセッサが、移動体装置への通常の着信音声呼のための着信呼メッセージを受信し、かつ、マニュアル応答モードが有効である場合、プロセッサは、ユーザインタフェースを介した、エンドユーザによるマニュアル応答信号を検出することだけによって着信音声呼が応答されるようにする。他方、プロセッサが、移動体装置への通常の着信音声呼のための着信呼メッセージを受信し、かつ、自動応答モードが有効である場合、プロセッサは、ユーザインタフェースを介した、エンドユーザによるいかなるマニュアル応答信号も検出することなく、着信音声呼が自動的に応答されるようにする。しかし、プログラム可能なデータ表示６０４が、マニュアル応答モードを有効にするように設定されるが、着信音声呼のための着信呼メッセージが、無音の（自動的な）応答についてのデータ表示（例えば、図５参照）を有する場合、プロセッサは、それでもなお、ユーザインタフェースを介した、エンドユーザによるいかなるマニュアル応答信号も検出することなく、着信音声呼が自動的に応答されるようにする。そのような機能性についての、一例の真理値表論理に対する下記の表２を参照されたい。
【００５６】
【表２】
2010530664.tif 000004
別のシナリオにおいて、再び、図６のプログラム可能なデータ表示６０６は、移動体装置の着信呼のための可聴のアラート応答モードか、または無音応答モードかのどちらかを設定するためのものである。しかし、プログラム可能なデータ表示６０６が、可聴のアラート応答モードを有効にするように設定されるが、着信音声呼のための着信呼メッセージが、無音の応答と自動的な応答との両方についてのデータ表示（例えば、図５参照）を有する場合、プロセッサは、ユーザインタフェースを介して、エンドユーザに着信呼をアラートするためのいかなる可聴のアラートも生成されるようにすることを控え、その呼が自動的に応答されるようにする（すなわち、装置設定がオーバーライドされる）。しかし、着信音声呼のための着信呼メッセージが、自動でない応答／無音でない応答のために設定されたデータ表示を有する時はいつも、装置設定は、利用され、無線のメッセージの中のデータ表示によってオーバーライドされない。そのような機能性についての、一例の真理値表論理に対する下記の表３を参照されたい。
【００５７】
【表３】
2010530664.tif 000005
そこで、図４を参照すると、図４は、移動体通信装置のための緊急通信の処理に対して、ワイヤレス通信ネットワークにおいて用いられる一般的な方法のフローチャートを示し、その処理は、図３に関して述べられる方法を補い得る。その方法は、述べられる通り、１つ以上のネットワークプロセッサ、メモリおよびトランシーバーを用いて（例えば、図１参照）、該当するシステムコンポーネントに接続するワイヤレス通信ネットワークにおいて行われ得る。少なくともその方法の一部は、コンピュータプログラム製品においてさらに具体化され得、そのコンピュータプログラム製品は、コンピュータ読み取り可能な媒体の中に格納されるコンピュータの命令を有する、そのコンピュータ読み取り可能な媒体（例えば、メモリまたはコンピュータディスク）を含み、そのコンピュータの命令は、１つ以上のプロセッサ（例えばマイクロプロセッサ）によって実行可能である。
【００５８】
図４の開始ブロック４００で始まり、ワイヤレスネットワークは、ワイヤレスネットワークにおける移動体通信装置の動作と、パブリックセーフティー応答ポイント（ＰＳＡＰ）エンティティとの間の緊急呼の確立を促進するように適合される（図４のステップ４０２）。緊急呼の間、ワイヤレスネットワークは、呼の終了メッセージまたは障害状態（例えば、到達範囲外の状態）を識別し得、呼の終了メッセージまたは障害状態は、緊急呼が切断されるようにする（図４のステップ４０４）。切断後のいずれかのときに、ＰＳＡＰエンティティによって開始された、移動体装置との継続される緊急呼のためのメッセージを、ワイヤレスネットワークは受信する（図４のステップ４０６）。ＰＳＡＰエンティティは、初期の緊急呼において前もって受信したＡＮＩ情報または発信者ＩＤ情報を用いて、移動体装置への継続される緊急呼を開始する。メッセージの受信に応答して、ワイヤレスネットワークは、送信のために、ワイヤレスネットワークを介して移動体装置に指向させられる着信呼メッセージを生成する。着信呼メッセージを生成する場合、ワイヤレスネットワークは、着信呼メッセージの１つ以上のデータフィールドにおけるデータ表示を設定する（図４のステップ４０８）。移動体装置が、それのユーザインタフェースを介してマニュアル応答信号を検出することなく、その呼に自動的に応答するように指示することに、そのデータ表示は用いられるためのものである。そのデータ表示（または、異なる表示）はまた、継続される緊急呼についてアラートするための可聴のアラートを生成することを控えるように移動体装置に指示することに用いられるためのものであり得る。その後は、ワイヤレスネットワークは、継続される緊急呼のためのこの着信呼メッセージが移動体装置による受信のためにワイヤレスネットワークを介してブロードキャストされるようにする（図４のステップ４１０）。移動体装置は、自動および／または無音の手法で、継続される緊急呼に応答する。
【００５９】
本発明の開示についての他の関連する技術について、エンドユーザによるものであろうと第三者によるものであろうと、本明細書に述べられる緊急呼が、移動体装置での意図的なアクションまたは意図しないアクションに応答して切断され得ることに留意されたい。これが発生した場合、特別な技術が利用されないならば、ＰＳＡＰエンティティと移動体装置との間の通信が、任意の継続される緊急呼において行われることは、不可能または困難なことであり得る。例えば、移動体装置が、落とされているか、エンドユーザから受け取られているか、またはそうでなくエンドユーザの届かない所に存在し得る。別の例のように、移動体装置の構成は、そのような継続される通信を容易に可能にし得ない。
【００６０】
この後者の問題をさらに説明するために、図８ａおよび図８ｂは、筐体８０２を有する移動体装置の一構成の側面図を示し、筐体８０２は、開いた位置（図８ａ）および閉じた位置（図８ｂ）を提供する。図８ａ〜８ｂの実施形態において、筐体８０２は、第１（先端）筐体部分８０４および第２（下部）筐体部分８０６を有し、第１筐体部分８０４および第２筐体部分８０６は、ヒンジアセンブリ８０８によって接続され、それにより、開いた位置および閉じた位置を提供する。あるいは、ヒンジアセンブリ８０８は、スライドアセンブリまたは回転軸アセンブリであり得、例えば、開いた位置および閉じた位置を提供するためのものであり得る。図８ａおよび８ｂの実施形態において、第１筐体部分８０４は、ディスプレイ１１２およびスピーカー２３４を備え、第２筐体部分８０６は、キーボード１１４およびマイクロホン２３６を備えている。図８ａにおける開いた位置は、ディスプレイ１１２、キーボード１１４、スピーカー２３４およびマイクロホン２３６を用いるために露出するのに対して、図８ｂにおける閉じた位置は、ディスプレイ１１２、キーボード１１４、スピーカー２３４およびマイクロホン２３６を覆うおよび／または非活動状態にする。図８ｂにおいて明らかなように、緊急呼の切断の後、移動体装置が閉じた位置の状態である場合、特別な技術が利用されないならば、継続される通信が、任意の継続される緊急呼において行われることは、不可能または困難であり得る。
【００６１】
この問題を解決するために、その技術において利用され得る移動体装置の一つのタイプは、音声呼のための送受話器通話モードおよびスピーカーホン通話モードを選択的に提供するように構成され得る。スピーカーホン変換器（例えば、図８ａおよび８ｂのスピーカーホン変換器８１０）は、従来の送受話器スピーカーおよび送受話器マイクロホンに加えて提供される。図８ａおよび８ｂにおいて例示される通り、このスピーカーホン変換器８１０は、そうでなければ送受話器スピーカー２３４および送受話器マイクロホン２３６を提供する筐体の外側または反対側に提供され得る。
【００６２】
さらに説明するために、図７は、移動体装置の音声呼のための通話モードと関連した機能性を説明するブロック図である。移動体装置の通話モードは、送受話器通話モード７０２、およびスピーカーホン通話モードまたは「ハンズフリー」通話モード７０４を含む。スイッチング回路７０６は、移動体装置のプロセッサに結合され得、移動体装置のプロセッサによって制御され得、それにより、送受話器通話モード７０２とピーカーホン通話モード７０４との間を切り換える。
【００６３】
送受話器通話モード７０２のために、プロセッサは、音声呼の間、エンドユーザが聞くためおよび通話するために、それぞれ、移動体装置の送受話器スピーカーおよび送受話器マイクロホン（その関連した回路網を含む）をスイッチング回路７０６を介して有効にする。有効にされた場合、送受話器スピーカー／送受話器マイクロホンおよび関連した回路網は、音声呼のオーディオ信号の伝達のための限定される専用の地理的範囲を提供する。音声呼の間、送受話器通話モード７０２において効率的に通信するために、エンドユーザは、移動体装置（例えば、ポータブルの手持ち式の電話機の装置）を手に持ち、それをエンドユーザの頭のそばに位置付けると、送受話器スピーカーはエンドユーザの耳の近傍にあり、送受話器マイクロホンはエンドユーザの口の近くにある。そうでなければ、オーディオ信号は、そのエンドユーザおよびその呼のもう一方の相手へ通信されるための十分な強度を有さない。
【００６４】
スピーカーホン通話モード７０４のために、プロセッサは、音声呼の間、エンドユーザが聞くためおよび通話するために、移動体装置の代替の変換器（スピーカー／マイクロホン）（その関連した回路網を含む）をスイッチング回路７０６を介して有効にする。スピーカーホン通話モード７０４が、「ハンズフリー」通話モードであり得るか、あるいは「ハンズフリー」通話モードと呼ばれ得る。有効にされた場合、スピーカーホン変換器および関連した回路網は、音声呼のオーディオ信号の伝達のための比較的広くブロードキャストされる地理的範囲を提供する。音声呼の間、スピーカーホン通話モード７０４において通信するために、エンドユーザは、移動体装置を、ユーザの手の中か、または適切な物体の表面上かのどちらかに保持し、適切な距離を隔てて（例えば、０．５〜１．５メートル内か、または０．５〜１．５メートルの間に）位置付ける。スピーカーホン通話モード７０４において、移動体装置とエンドユーザとの間の距離にもかかわらず、音声呼のオーディオ信号は、そのエンドユーザおよびその呼のもう一方の相手へ十分に伝達されるための十分な強度を有する。
【００６５】
プロセッサは、ユーザインタフェースというユーザの入力装置からの入力７１０に基づいて、移動体装置の通話モードを制御および／または選択し得る。ユーザの入力装置は、例えば、移動体装置の１つ以上のボタンまたはキーであり得るか、またはそれらを含み得る。エンドユーザによる操作、ボタンまたはキーに応答して、プロセッサは、音声呼の間、送受話器通話モード７０２とスピーカーホン通話モード７０４との間の選択またはトグルに備え得る。このようにして、プロセッサは、スピーカーホン通話モード７０４を起動するために、エンドユーザからのユーザインタフェースを介したマニュアルスピーカーホン起動信号を検出し得る。好ましくは、プロセッサは、グラフィカルユーザインタフェース（ＧＵＩ）が視覚的ディスプレイにおいて提供され、表現されるようにし、グラフィカルユーザインタフェースは、送受話器通話モード７０２とスピーカーホン通話モード７０４との間のエンドユーザの選択のためのＧＵＩボタンまたはメニューリストを含む。
【００６６】
プロセッサは、入力７１２に基づいて、移動体装置の通話モードを付加的にまたはもう一つの選択肢として制御し得、入力７１２は、ＰＳＡＰエンティティからの着信呼メッセージの１つ以上のデータフィールド（例えば、図５参照）の中のデータ表示に対応する。
データ表示がビット表示である場合、例えば、ビット「０」は、送受話器通話モード７０２が利用されるものであることを表示し得、ビット「１」は、スピーカーホン通話モード７０４が利用されるものであることを表示し得る。逆のビット定義または他のビット構成が、代替として利用され得ることに留意されたい。換言すれば、ビット「０」は、モード７０２または７０４の中での選択のために装置設定が利用されるものであることを表示し得、ビット「１」は、遠隔のスピーカーホン有効化のためのスピーカーホン通話モード７０４が利用されるものであることを表示（すなわち、装置設定をオーバーライドすること）し得る。着信呼メッセージの中に提供されるこのデータ表示への追加または代替において、そのようなデータ表示は、その呼の間、ＰＳＡＰエンティティから移動体装置へ通信される任意の適切なメッセージの中（すなわち、その呼が進行中である間、トラフィックチャネルが確立された後に送信されるメッセージにおける受信データ表示）に提供され得る。
【００６７】
入力７１０（すなわち、ユーザの入力選択）と入力７１２（すなわち、無線のメッセージにおけるデータ表示）との両方が、移動体装置の通話モードの選択のために利用されるものである場合、論理７０８が提供され得る。論理７０８は、プロセッサを制御するハードウェアとしてまたはソフトウェアとして、移動体装置の中に提供され得る。図７の例に示される通り、論理７０８は、ＯＲゲートか、またはその機能と同等のものであり得る。好ましくは、論理７０８は、下記の表４に提供される真理値表に従って動作するように適合され得る。
【００６８】
【表４】
2010530664.tif 000006
例が提供されたが、任意の適切なタイプの論理は、移動体装置の通話モードの選択のために利用され得る。
【００６９】
それゆえに、移動体装置が、緊急呼の間、落とされているか、エンドユーザから受け取られているか、またはそうでなくエンドユーザの届かない所に存在し得るが、ＰＳＡＰエンティティと移動体装置との継続される通信は、それでもなお、スピーカーホン通話モード制御を用いて有効である（例えば、ＰＳＡＰエンティティが、少なくともエンドユーザに応じ得るか、少なくともエンドユーザに指示し得るか、またはそうでなければ少なくともエンドユーザと通信し得る）。移動体装置構成が、そうではなくそれを可能にし得ない場合（例えば、図８ａおよび８ｂに関連した議論を参照）、継続される通信はまた、可能である。
【００７０】
代替の実施形態において、無線のメッセージにおけるデータ表示を用いた、移動体装置での自動応答モードおよび通話モードの遠隔の制御および遠隔の選択は、エンドユーザか、またはそれの任意の切断かによってなされるいかなる緊急呼も顧慮しないで、ＰＳＡＰエンティティまたは他の第三者エンティティによって導かれ得る。エンティティによってなされる移動体装置への呼は、切断された移動体誘導の任意の緊急呼に応答してなされる必要のない単なる無音秘密呼または秘匿秘密呼で（上記で述べられるようにスピーカーホン通話モードが有効にされた状態で、またはその状態でなく）あり得る。例えば、無音呼または秘密呼は、移動体装置のエンドユーザが不当または不正な振る舞いに関係していることを識別したことに応答して、エンティティから移動体装置へ生成され得る。そのような実施形態に含まれる、移動体誘導の呼または呼の切断が存在しないとき、この代替の実施形態における移動体装置において、切断後の期間に対するタイマーは全く利用されない。そうでなければ、利用されるその技術は、上記に述べられるそれらの技術と同じか、または類似し得る。あるいは、そのような無音呼または秘密呼（上記で述べられるようにスピーカーホン通話モードが有効にされた状態で、またはその状態でなく）は、移動体装置から導かれた信号またはメッセージ（緊急または非緊急）についてのエンティティの受信に応答して、エンティティから移動体装置へなされ得る。好ましくは、そのメッセージは、緊急メッセージであり、緊急メッセージは、例えば、ショートテキストメッセージ（例えば、ショート・メッセージ・サービスまたはＳＭＳメッセージ）または電子メール（Ｅメール）メッセージであり得、そのショートテキストメッセージまたは電子メールは、エンドユーザによって移動体装置のユーザインタフェースを介して受信され、ワイヤレスネットワークを介して送信される。そのようなメッセージは、図３のステップ３０６（すなわち、所定のコードまたは所定のユーザ入力選択）に関連した上記の技術と同じか、または類似した技術を用いて、緊急呼メッセージまたは非緊急呼メッセージとして検出され得る。この特定の代替の実施形態において、移動体誘導の初期の信号またはメッセージの後の期間に対するタイマーは、緊急呼切断の後の期間として、同じ手法または類似の手法において、移動体装置において利用され得る。
【００７１】
このようにして、ワイヤレス通信ネットワークを介して着信呼を処理するための移動体通信装置によって用いられる代替の方法において、その方法のステップは、ワイヤレス通信ネットワークを介して、着信呼のための着信呼メッセージを受信するためにモニターすることと、着信呼メッセージの１つ以上のデータフィールドにおけるデータ表示を受信することと、着信呼メッセージが無音自動応答のためのものであることをデータ表示が示す場合には、着信呼をアラートするために移動体通信装置において可聴のアラートを生成することを控えることと、移動体通信装置のユーザインタフェースを介してマニュアル応答信号を検出することなく、着信呼が移動体通信装置によって自動的に応答されるようにすることと、またはそうでなく着信呼メッセージが無音自動応答のためのものであることをデータ表示が示さない場合には、マニュアル応答信号を検出することなく、着信呼が移動体通信装置によって自動的に応答されるようにすることを控えることと、ユーザインタフェースを介してマニュアル応答信号を検出したことに応答して、着信呼が応答されるようにすることとを含む。
【００７２】
本発明の開示の主要な教示に従うと、移動体通信装置を伴う切断された緊急呼および切断された他の通信を処理することに用いられる方法および装置が述べられている。例示的な一実施形態において、パブリックセーフティー応答ポイントエンティティを用いる緊急呼は、ワイヤレス通信ネットワークを介して、移動体通信装置によって確立される。緊急呼が切断される場合、移動体装置は、パブリックセーフティー応答ポイントエンティティからの、継続される緊急呼のための着信呼メッセージを受信するようにモニターする。そのような着信呼メッセージを受信すること応答して、移動体装置は、可聴のアラートを生成することを控え、そのユーザインタフェースを介していかなるマニュアル応答も検出することなく、パブリックセーフティー応答ポイントエンティティからの継続される緊急呼に自動的に応答する。一つの特定のアプローチにおいて、着信呼メッセージが切断後の期間内に受信される場合、かつ、着信呼メッセージのデータ表示が、メッセージが継続される緊急呼または自動応答のためのものであることを表示する場合、移動体装置は、自動的にその呼に応答する。そうでなければ、着信呼メッセージが、切断後の期間外で受信される場合か、または、データ表示が、着信呼メッセージが継続される緊急呼もしくは自動応答のためのものであることを表示しない場合、移動体装置は、着信呼メッセージと関連した呼に自動的に応答することを控える。
【００７３】
ワイヤレス通信ネットワークを介して通信するように適合される移動体通信装置によって用いられる別の例示的な方法は、１つ以上のデータフィールドの中にデータ表示を有するメッセージをワイヤレス通信ネットワークを渡って受信することと、スピーカーホン通話モードが利用されるものであることをそのメッセージからのデータ表示が示す場合には、音声呼のために移動体通信装置のスピーカーホン通話モードを有効にすることと、そうでなければ、送受話器通話モードが利用されるものであることをそのメッセージからのデータ表示が示す場合には、音声呼のために移動体通信装置の送受話器通話モードを有効にすることとを伴う。そのような方法は、移動体通信装置のユーザインタフェースを介してマニュアル応答信号を検出することなく、第三者エンティティからの音声呼が移動体通信装置によって自動的に応答されるようにすることをさらに伴い得る。
【００７４】
本発明の好ましい実施形態が、説明され、述べられている一方で、本発明がそのように限定されないことは、理解されるべきである。添付の特許請求の範囲によって定義されるような本発明の精神および範囲から離れることなく、数多くの改良、変更、変形、代用および同等物が、当業者に見いだされる。
【図１】
2010530664.tif 000007
【図２】
2010530664.tif 000008
【図３】
2010530664.tif 000009
【図４】
2010530664.tif 000010
【図５】
2010530664.tif 000011
【図６】
2010530664.tif 000012
【図７】
2010530664.tif 000013
【図８ａ】
2010530664.tif 000014
【図８ｂ】
2010530664.tif 000015
【図９】
2010530664.tif 000016
【手続補正書】
【提出日】平成22年1月20日(2010.1.20)
【手続補正１】
【補正対象書類名】明細書
【補正対象項目名】０００５
【補正方法】変更
【補正の内容】
【０００５】
移動体通信装置についての切断された緊急呼および切断された他の通信の処理、ならびにそのような移動体通信装置の遠隔のモニターの処理に用いられる方法および装置が、本明細書に述べられる。例示的な一実施形態において、パブリックセーフティー応答ポイントエンティティを用いる緊急呼は、ワイヤレス通信ネットワークを介して、移動体通信装置によって確立される。緊急呼が切断される場合、移動体装置は、パブリックセーフティー応答ポイントエンティティからの、継続される緊急呼のための着信呼メッセージを受信するようにモニターする。そのような着信呼メッセージを受信することに応答して、移動体装置は、可聴のアラートを生成することを控え、そのユーザインタフェースを介していかなるマニュアル応答も検出することなく、パブリックセーフティー応答ポイントエンティティからの継続される緊急呼に自動的に応答する。一つの特定のアプローチにおいて、着信呼メッセージが切断後の期間内に受信される場合、かつ、着信呼メッセージのデータ表示が、メッセージが継続される緊急呼または自動応答のためのものであることを表示する場合、移動体装置は、自動的にその呼に応答する。そうでなければ、着信呼メッセージが、切断後の期間外で受信される場合か、または、データ表示が、着信呼メッセージが継続される緊急呼もしくは自動応答のためのものであることを表示しない場合、移動体装置は、着信呼メッセージと関連した呼に自動的に応答することを控える。
（項目１）
移動体通信装置によって用いられ、ワイヤレス通信ネットワークを介して着信呼を処理する方法であって、
該方法は、
該ワイヤレス通信ネットワークを介して、呼出しエンティティからの着信呼のための着信呼メッセージを受信することをモニターするアクトと、
該着信呼メッセージの１つ以上のデータフィールドにおけるデータ表示を受信するアクトと、
該呼出しエンティティからの該着信呼に対応する該着信呼メッセージが無音自動応答のためのものであることを該データ表示が示す場合には、
該着信呼をアラートするために該移動体通信装置において可聴のアラートを生成することを控えることと、
該移動体通信装置のユーザインタフェースを介してマニュアル応答信号を検出することなく、該着信呼が該移動体通信装置によって自動的に応答されるようにすることと
を行うアクトと、
該呼出しエンティティからの該着信呼に対応する該着信呼メッセージが無音自動応答のためのものであることを該データ表示が示さない場合には、
該マニュアル応答信号を検出することなく、該着信呼が該移動体通信装置によって自動的に応答されるようにすることを控えることと、
該ユーザインタフェースを介して該マニュアル応答信号を検出したことに応答して、該着信呼が応答されるようにすることと
を行うアクトと
を含む、方法。
（項目２）
前記着信呼メッセージが無音自動応答のためのものであることを前記データ表示が示す場合には、該着信呼が緊急呼を含み、前記呼出しエンティティがパブリックセーフティー応答ポイントエンティティを含む、項目１に記載の方法。
（項目３）
前記ユーザインタフェースが、複数のキーと、スピーカーと、マイクロホンとを含み、前記着信呼が前記移動体通信装置によって自動的に応答されるようにする前記アクトは、該移動体通信装置において該マイクロホンが可聴の信号を受信することを可能にする更なるアクトを含む、項目１に記載の方法。
（項目４）
前記移動体通信装置が、該移動体通信装置への着信呼のための、マニュアル応答モードおよび自動応答モードのうちの１つを設定するための１つ以上のデータフィールドにおけるプログラム可能なデータ表示を含むメモリを含み、該マニュアル応答モードが有効にされたことを該プログラム可能なデータ表示が示す場合には、前記マニュアル応答信号を検出することなく、該着信呼が該移動体通信装置によって自動的に応答されるようにする前記アクトが行われる、項目１に記載の方法。
（項目５）
前記移動体通信装置が、該移動体通信装置への着信呼のための、可聴のアラート応答モードおよび無音の応答モードのうちの１つを設定するための１つ以上のデータフィールドにおけるプログラム可能なデータ表示を含むメモリを含み、該可聴のアラート応答モードが有効にされたことを該プログラム可能なデータ表示が示す場合には、該移動体通信装置における該着信呼をアラートするための可聴のアラートを生成することを控える前記アクトが行われる、項目１に記載の方法。
（項目６）
前記着信呼が無音かつ自動的に応答された後、前記移動体通信装置のロケーション情報が、受信エンティティへ送信されるようにすることをさらに含む、項目１に記載の方法。
（項目７）
メッセージを要求するメッセージを前記ユーザインタフェースを介して受信することと、
該メッセージがワイヤレス通信ネットワークを介して送信されるようにすることと、
該メッセージの送信からの期間を定義するタイマーを起動することと、
前記着信呼メッセージの１つ以上のデータフィールドにおけるデータ表示を受信することと、
該期間内に該着信呼メッセージが受信され、かつ、該着信呼メッセージが前記無音自動応答のためのものであることを該データ表示が示す場合には、前記マニュアル応答信号を検出することなく、該着信呼が該移動体通信装置によって自動的に応答されるようにすることと、
該期間外で該着信呼メッセージが受信される場合、または、該着信呼メッセージが該無音自動応答のためのものであることを該データ表示が示さない場合、該マニュアル応答信号を検出することなく、該呼に自動的に応答することを控えることと
をさらに含む、項目１に記載の方法。
（項目８）
メッセージ要求を前記ユーザインタフェースを介して受信することと、
該メッセージ要求が非緊急メッセージのためのものである場合には、該非緊急メッセージがワイヤレス通信ネットワークを介して送信されるようにすることと、
該メッセージ要求が緊急メッセージのためのものである場合には、
該緊急メッセージの送信からの期間を定義するタイマーを起動することと、
前記着信呼メッセージの１つ以上のデータフィールドにおける前記データ表示を受信することと、
該期間内に該着信呼メッセージが受信され、かつ、該着信呼メッセージが無音自動応答のためのものであることを該データ表示が示す場合には、前記マニュアル応答信号を検出することなく、該着信呼が該移動体通信装置によって自動的に応答されるようにすることと、
該期間外で該着信呼メッセージが受信される場合、または、該着信呼メッセージが無音自動応答のためのものであることを該データ表示が示さない場合には、該マニュアル応答信号を検出することなく、該呼に自動的に応答することを控えることと
をさらに含む、項目１に記載の方法。
（項目９）
前記移動体通信装置が、送受話器通話モードおよびスピーカーホン通話モードを有し、前記方法は、
該着信呼メッセージが無音自動応答のためのものであることを該データ表示が示す場合には、前記ユーザインタフェースを介してマニュアルスピーカーホン起動信号を検出することなく、該移動体通信装置のスピーカーホン通話モードを有効にすること
を行う更なるアクトを含む、項目１に記載の方法。
（項目１０）
コンピュータ読み取り可能な媒体と、該コンピュータ読み取り可能な媒体の中に格納されるコンピュータの命令とを含むコンピュータプログラム製品として具体化される項目１に記載の方法であって、該コンピュータの命令は、該方法を実行するために、前記移動体通信装置の１つ以上のプロセッサによって実行可能である、項目１に記載の方法。
（項目１１）
移動体通信装置であって、
該移動体通信装置は、
ワイヤレス通信ネットワークを介した通信に適合されたワイヤレストランシーバーと、
該ワイヤレストランシーバーに結合された１つ以上のプロセッサと、
該１つ以上のプロセッサに結合されたユーザインタフェースと
を含み、該１つ以上のプロセッサは、
該ワイヤレストランシーバーを介して、呼出しエンティティからの着信呼メッセージまたは着信呼を受信することをモニターすることと、
該着信呼メッセージの１つ以上のデータフィールドにおけるデータ表示を受信することと、
該呼出しエンティティからの該着信呼に対応する該着信呼メッセージが無音自動応答のためのものであることを該データ表示が示す場合には、
該着信呼をアラートするために該ユーザインタフェースにおいて可聴のアラートを生成することを控えることと、
該ユーザインタフェースを介してマニュアル応答信号を検出することなく、該着信呼が自動的に応答されるようにすることと、
該呼出しエンティティからの該着信呼に対応する該着信呼メッセージが無音自動応答のためのものであることを該データ表示が示さない場合には、
該ユーザインタフェースを介して該マニュアル応答信号を検出することなく、該着信呼が自動的に応答されるようにすることを控えることと、
該ユーザインタフェースを介して該マニュアル応答信号を検出したことに応答して、該着信呼が応答されるようにすることと
を行うように動作する、移動体通信装置。
（項目１２）
前記着信呼メッセージが無音自動応答のためのものであることを前記データ表示が示す場合には、該着信呼が緊急呼であり、前記呼出しエンティティがパブリックセーフティー応答ポイントエンティティである、項目１１に記載の移動体通信装置。
（項目１３）
複数のキーと、スピーカーと、マイクロホンとを有する前記ユーザインタフェースと、
該移動体通信装置において該マイクロホンが可聴の信号を受信することを可能にすることによって、前記着信呼が自動的に応答されるようにするようにさらに動作する前記１つ以上のプロセッサと
をさらに含む、項目１１に記載の移動体通信装置。
（項目１４）
メモリをさらに含み、
該メモリは、前記移動体通信装置への着信呼のための、マニュアル応答モードおよび自動応答モードのうちの１つを設定するための１つ以上のデータフィールド上のプログラム可能なデータ表示を含み、
該マニュアル応答モードが有効にされたことを該プログラム可能なデータ表示が示す場合には、前記１つ以上のプロセッサは、前記ユーザインタフェースを介して前記マニュアル応答信号を検出することなく、該着信呼が自動的に応答されるようにするようにさらに動作する、
項目１１に記載の移動体通信装置。
（項目１５）
メモリをさらに含み、
該メモリは、前記移動体通信装置への着信呼のための、可聴のアラート応答モードおよび無音の応答モードのうちの１つを設定するための１つ以上のデータフィールドにおけるプログラム可能なデータ表示を含み、
前記１つ以上のプロセッサは、該可聴のアラート応答モードが有効にされたことを該プログラム可能なデータ表示が示す場合、該着信呼をアラートするための可聴のアラートを生成することを控えるようにさらに動作する、
項目１１に記載の移動体通信装置。
（項目１６）
前記着信呼が無音かつ自動的に応答された後、前記移動体通信装置のロケーション情報が受信エンティティへ送信されるようにするようにさらに動作する前記１つ以上のプロセッサをさらに含む、項目１１に記載の移動体通信装置。
（項目１７）
メッセージを要求するメッセージを前記ユーザインタフェースを介して受信することと、
該メッセージがワイヤレストランシーバーを介して送信されるようにすることと、
該メッセージの送信からの期間を定義するタイマーを起動することと、
前記着信呼メッセージの１つ以上のデータフィールドにおけるデータ表示を受信することと、
該期間内に該着信呼メッセージが受信され、かつ、該着信呼メッセージが前記無音自動応答のためのものであることを該データ表示が示す場合には、前記マニュアル応答信号を検出することなく、該着信呼が自動的に応答されるようにすることと、
該期間外で該着信呼メッセージが受信される場合、または、該着信呼メッセージが該無音自動応答のためのものであることを該データ表示が示さない場合には、該マニュアル応答信号を検出することなく、該呼に自動的に応答することを控えることと
を行うようにさらに動作する前記１つ以上のプロセッサをさらに含む、項目１１に記載の移動体通信装置。
（項目１８）
メッセージを要求するメッセージを前記ユーザインタフェースを介して受信することと、
該メッセージ要求が非緊急メッセージのためのものである場合には、該非緊急メッセージがワイヤレストランシーバーを介して送信されるようにすることと、
該メッセージ要求が緊急メッセージのためのものである場合には、
該緊急メッセージの送信からの期間を定義するタイマーを起動することと、
前記着信呼メッセージの１つ以上のデータフィールドにおける前記データ表示を受信することと、
該期間内に該着信呼メッセージが受信され、かつ、該着信呼メッセージが前記無音自動応答のためのものであることを該データ表示が示す場合には、前記マニュアル応答信号を検出することなく、該着信呼が自動的に応答されるようにすることと、
該期間外で該着信呼メッセージが受信される場合、または、該着信呼メッセージが該無音自動応答のためのものであることを該データ表示が示さない場合には、該マニュアル応答信号を検出することなく、該呼に自動的に応答することを控えることと
を行うようにさらに動作する前記１つ以上のプロセッサをさらに含む、項目１１に記載の移動体通信装置。
（項目１９）
前記移動体通信装置を送受話器通話モードおよびスピーカーホン通話モードにおいて動作させるようにさらに動作する前記１つ以上のプロセッサと、
該着信呼メッセージが無音自動応答のためのものであることを該データ表示が示す場合には、前記ユーザインタフェースを介してマニュアルスピーカーホン起動信号を検出することなく、該スピーカーホン通話モードを有効にするようにさらに動作する前記１つ以上のプロセッサと
をさらに含む、項目１１に記載の移動体通信装置。
（項目２０）
ワイヤレス通信ネットワークと、
該ワイヤレス通信ネットワークの中で動作する複数の移動体通信装置と
を含むワイヤレス通信システムであって、
各移動体通信装置は、項目１１〜１９のうちのいずれか一項に記載の移動体通信装置に応じて動作するように構成されている、ワイヤレス通信システム。
【手続補正２】
【補正対象書類名】特許請求の範囲
【補正対象項目名】全文
【補正方法】変更
【補正の内容】
【特許請求の範囲】
【請求項１】
移動体通信装置によって用いられ、ワイヤレス通信ネットワークを介して着信音声呼を処理する方法であって、
該方法は、
該ワイヤレス通信ネットワークを介して、呼出しエンティティとの着信音声呼を確立するための着信呼メッセージを受信することをモニターするアクトと、
該着信呼メッセージの１つ以上のデータフィールドにおけるデータ表示を受信するアクトと、
該呼出しエンティティとの該着信音声呼を確立するための該着信呼メッセージが無音自動応答のためのものであることを該データ表示が示す場合には、
該着信音声呼をアラートするために該移動体通信装置において可聴のアラートを生成することを控えることと、
該移動体通信装置のユーザインタフェースを介してマニュアル応答信号を検出することなく、該着信音声呼が該移動体通信装置によって自動的に応答されるようにすることと
を行うアクトと、
該呼出しエンティティとの該着信音声呼を確立するための該着信呼メッセージが無音自動応答のためのものであることを該データ表示が示さない場合には、
該マニュアル応答信号を検出することなく、該着信音声呼が該移動体通信装置によって自動的に応答されるようにすることを控えることと、
該ユーザインタフェースを介して該マニュアル応答信号を検出したことに応答して、該着信音声呼が応答されるようにすることと
を行うアクトと
を含む、方法。
【請求項２】
前記着信呼メッセージが無音自動応答のためのものであることを前記データ表示が示す場合には、該着信音声呼が緊急音声呼を含み、前記呼出しエンティティがパブリックセーフティー応答ポイントエンティティを含む、請求項１に記載の方法。
【請求項３】
前記ユーザインタフェースが、複数のキーと、スピーカーと、マイクロホンとを含み、前記着信音声呼が前記移動体通信装置によって自動的に応答されるようにする前記アクトは、該移動体通信装置において該マイクロホンが可聴の信号を受信することを可能にする更なるアクトを含む、請求項１に記載の方法。
【請求項４】
前記移動体通信装置が、該移動体通信装置への着信音声呼のための、マニュアル応答モードおよび自動応答モードのうちの１つを設定するための１つ以上のデータフィールドにおけるプログラム可能なデータ表示を含むメモリを含み、該マニュアル応答モードが有効にされたことを該プログラム可能なデータ表示が示す場合には、前記マニュアル応答信号を検出することなく、該着信音声呼が該移動体通信装置によって自動的に応答されるようにする前記アクトが行われる、請求項１に記載の方法。
【請求項５】
前記移動体通信装置が、該移動体通信装置への着信音声呼のための、可聴のアラート応答モードおよび無音の応答モードのうちの１つを設定するための１つ以上のデータフィールドにおけるプログラム可能なデータ表示を含むメモリを含み、該可聴のアラート応答モードが有効にされたことを該プログラム可能なデータ表示が示す場合には、該移動体通信装置における該着信音声呼をアラートするための可聴のアラートを生成することを控える前記アクトが行われる、請求項１に記載の方法。
【請求項６】
前記着信音声呼が無音かつ自動的に応答された後、前記移動体通信装置のロケーション情報が、受信エンティティへ送信されるようにすることをさらに含む、請求項１に記載の方法。
【請求項７】
メッセージを要求するメッセージを前記ユーザインタフェースを介して受信することと、
該メッセージがワイヤレス通信ネットワークを介して送信されるようにすることと、
該メッセージの送信からの期間を定義するタイマーを起動することと、
前記着信呼メッセージの１つ以上のデータフィールドにおけるデータ表示を受信することと、
該期間内に該着信呼メッセージが受信され、かつ、該着信呼メッセージが前記無音自動応答のためのものであることを該データ表示が示す場合には、前記マニュアル応答信号を検出することなく、該着信音声呼が該移動体通信装置によって自動的に応答されるようにすることと、
該期間外で該着信呼メッセージが受信される場合、または、該着信呼メッセージが該無音自動応答のためのものであることを該データ表示が示さない場合、該マニュアル応答信号を検出することなく、該着信音声呼に自動的に応答することを控えることと
をさらに含む、請求項１に記載の方法。
【請求項８】
メッセージ要求を前記ユーザインタフェースを介して受信することと、
該メッセージ要求が非緊急メッセージのためのものである場合には、該非緊急メッセージがワイヤレス通信ネットワークを介して送信されるようにすることと、
該メッセージ要求が緊急メッセージのためのものである場合には、
該緊急メッセージの送信からの期間を定義するタイマーを起動することと、
前記着信呼メッセージの１つ以上のデータフィールドにおける前記データ表示を受信することと、
該期間内に該着信呼メッセージが受信され、かつ、該着信呼メッセージが無音自動応答のためのものであることを該データ表示が示す場合には、前記マニュアル応答信号を検出することなく、該着信音声呼が該移動体通信装置によって自動的に応答されるようにすることと、
該期間外で該着信呼メッセージが受信される場合、または、該着信呼メッセージが無音自動応答のためのものであることを該データ表示が示さない場合には、該マニュアル応答信号を検出することなく、該着信音声呼に自動的に応答することを控えることと
をさらに含む、請求項１に記載の方法。
【請求項９】
前記移動体通信装置が、送受話器通話モードおよびスピーカーホン通話モードを有し、前記方法は、
該着信呼メッセージが無音自動応答のためのものであることを該データ表示が示す場合には、前記ユーザインタフェースを介してマニュアルスピーカーホン起動信号を検出することなく、該移動体通信装置のスピーカーホン通話モードを有効にすること
を行う更なるアクトを含む、請求項１に記載の方法。
【請求項１０】
コンピュータ読み取り可能な媒体と、該コンピュータ読み取り可能な媒体の中に格納されるコンピュータの命令とを含むコンピュータプログラム製品として具体化される請求項１に記載の方法であって、該コンピュータの命令は、該方法を実行するために、前記移動体通信装置の１つ以上のプロセッサによって実行可能である、請求項１に記載の方法。
【請求項１１】
移動体通信装置であって、
該移動体通信装置は、
ワイヤレス通信ネットワークを介した通信に適合されたワイヤレストランシーバーと、
該ワイヤレストランシーバーに結合された１つ以上のプロセッサと、
該１つ以上のプロセッサに結合されたユーザインタフェースと
を含み、該１つ以上のプロセッサは、
該ワイヤレストランシーバーを介して、呼出しエンティティとの着信音声呼を確立するための着信呼メッセージを受信することをモニターすることと、
該着信呼メッセージの１つ以上のデータフィールドにおけるデータ表示を受信することと、
該呼出しエンティティとの該着信音声呼を確立するための該着信呼メッセージが無音自動応答のためのものであることを該データ表示が示す場合には、
該着信音声呼をアラートするために該ユーザインタフェースにおいて可聴のアラートを生成することを控えることと、
該ユーザインタフェースを介してマニュアル応答信号を検出することなく、該着信音声呼が自動的に応答されるようにすることと、
該呼出しエンティティとの該着信音声呼を確立するために該着信呼メッセージが無音自動応答のためのものであることを該データ表示が示さない場合には、
該ユーザインタフェースを介して該マニュアル応答信号を検出することなく、該着信音声呼が自動的に応答されるようにすることを控えることと、
該ユーザインタフェースを介して該マニュアル応答信号を検出したことに応答して、該着信音声呼が応答されるようにすることと
を行うように動作する、移動体通信装置。
【請求項１２】
前記着信呼メッセージが無音自動応答のためのものであることを前記データ表示が示す場合には、該着信音声呼が緊急音声呼であり、前記呼出しエンティティがパブリックセーフティー応答ポイントエンティティである、請求項１１に記載の移動体通信装置。
【請求項１３】
複数のキーと、スピーカーと、マイクロホンとを有する前記ユーザインタフェースと、
該移動体通信装置において該マイクロホンが可聴の信号を受信することを可能にすることによって、前記着信音声呼が自動的に応答されるようにするようにさらに動作する前記１つ以上のプロセッサと
をさらに含む、請求項１１に記載の移動体通信装置。
【請求項１４】
メモリをさらに含み、
該メモリは、前記移動体通信装置への着信音声呼のための、マニュアル応答モードおよび自動応答モードのうちの１つを設定するための１つ以上のデータフィールド上のプログラム可能なデータ表示を含み、
該マニュアル応答モードが有効にされたことを該プログラム可能なデータ表示が示す場合には、前記１つ以上のプロセッサは、前記ユーザインタフェースを介して前記マニュアル応答信号を検出することなく、該着信音声呼が自動的に応答されるようにするようにさらに動作する、
請求項１１に記載の移動体通信装置。
【請求項１５】
メモリをさらに含み、
該メモリは、前記移動体通信装置への着信音声呼のための、可聴のアラート応答モードおよび無音の応答モードのうちの１つを設定するための１つ以上のデータフィールドにおけるプログラム可能なデータ表示を含み、
前記１つ以上のプロセッサは、該可聴のアラート応答モードが有効にされたことを該プログラム可能なデータ表示が示す場合、該着信音声呼をアラートするための可聴のアラートを生成することを控えるようにさらに動作する、
請求項１１に記載の移動体通信装置。
【請求項１６】
前記着信音声呼が無音かつ自動的に応答された後、前記移動体通信装置のロケーション情報が受信エンティティへ送信されるようにするようにさらに動作する前記１つ以上のプロセッサをさらに含む、請求項１１に記載の移動体通信装置。
【請求項１７】
メッセージを要求するメッセージを前記ユーザインタフェースを介して受信することと、
該メッセージがワイヤレストランシーバーを介して送信されるようにすることと、
該メッセージの送信からの期間を定義するタイマーを起動することと、
前記着信呼メッセージの１つ以上のデータフィールドにおけるデータ表示を受信することと、
該期間内に該着信呼メッセージが受信され、かつ、該着信呼メッセージが前記無音自動応答のためのものであることを該データ表示が示す場合には、前記マニュアル応答信号を検出することなく、該着信音声呼が自動的に応答されるようにすることと、
該期間外で該着信呼メッセージが受信される場合、または、該着信呼メッセージが該無音自動応答のためのものであることを該データ表示が示さない場合には、該マニュアル応答信号を検出することなく、該着信音声呼に自動的に応答することを控えることと
を行うようにさらに動作する前記１つ以上のプロセッサをさらに含む、請求項１１に記載の移動体通信装置。
【請求項１８】
メッセージを要求するメッセージを前記ユーザインタフェースを介して受信することと、
該メッセージ要求が非緊急メッセージのためのものである場合には、該非緊急メッセージがワイヤレストランシーバーを介して送信されるようにすることと、
該メッセージ要求が緊急メッセージのためのものである場合には、
該緊急メッセージの送信からの期間を定義するタイマーを起動することと、
前記着信呼メッセージの１つ以上のデータフィールドにおける前記データ表示を受信することと、
該期間内に該着信呼メッセージが受信され、かつ、該着信呼メッセージが前記無音自動応答のためのものであることを該データ表示が示す場合には、前記マニュアル応答信号を検出することなく、該着信音声呼が自動的に応答されるようにすることと、
該期間外で該着信呼メッセージが受信される場合、または、該着信音声呼メッセージが該無音自動応答のためのものであることを該データ表示が示さない場合には、該マニュアル応答信号を検出することなく、該着信音声呼に自動的に応答することを控えることと
を行うようにさらに動作する前記１つ以上のプロセッサをさらに含む、請求項１１に記載の移動体通信装置。
【請求項１９】
前記移動体通信装置を送受話器通話モードおよびスピーカーホン通話モードにおいて動作させるようにさらに動作する前記１つ以上のプロセッサと、
該着信呼メッセージが無音自動応答のためのものであることを該データ表示が示す場合には、前記ユーザインタフェースを介してマニュアルスピーカーホン起動信号を検出することなく、該スピーカーホン通話モードを有効にするようにさらに動作する前記１つ以上のプロセッサと
をさらに含む、請求項１１に記載の移動体通信装置。
【請求項２０】
ワイヤレス通信ネットワークと、
該ワイヤレス通信ネットワークの中で動作する複数の移動体通信装置と
を含むワイヤレス通信システムであって、
各移動体通信装置は、請求項１１〜１９のうちのいずれか一項に記載の移動体通信装置に応じて動作するように構成されている、ワイヤレス通信システム。
【国際調査報告】
2010530664.tif 000017
2010530664.tif 000018
2010530664.tif 000019
2010530664.tif 000020